(57)【要約】【課題】遠隔会議における使用言語を決定する会議使用言語決定方法、会議使用言語決定装置及び会議使用言語決定プログラムを提供すること。【解決手段】予め登録された会議参加者の会話可能言語の集まりである使用候補言語群の中から、会議参加者の全員が会話可能な言語を探索する（Ｓ１０３１）。会議参加者の全員が会話可能な言語がある場合は（Ｓ１０３２：ＹＥＳ）、その言語数が単数か否かを判定する（Ｓ１０３３）。単数の場合はその言語を使用言語として決定する（Ｓ１０３４）。複数の場合は、公用度が最も高い言語を使用言語として決定する（Ｓ１０３５）。一方、会議参加者の全員が会話可能な言語が無い場合は（Ｓ１０３２：ＮＯ）、使用候補言語群の中に含まれている会話可能言語のうち、最多数の会話可能言語を使用言語として決定する（Ｓ１０３８又はＳ１０３９）。【選択図】図１４
2010056983.tif 000002
【特許請求の範囲】
【請求項１】
複数の地点に設けられた遠隔会議装置をネットワークに接続して遠隔会議を行うためにコンピュータにより処理される会議使用言語決定方法であって、
各会議参加者の少なくとも１つの会話可能言語と前記各遠隔会議装置が設けられる地点を含む地域の公用語である地域別公用語の少なくとも一方を特定する情報である、外部からコンピュータに入力された言語特定情報を取得する取得ステップと、
前記取得ステップにおいて取得した前記言語特定情報から特定される複数の前記会話可能言語又は複数の前記地域別公用語である使用候補言語群の中から、情報記憶装置に記憶されている所定の会議使用言語決定条件に従って、前記遠隔会議における使用言語を決定する決定ステップと、
前記決定ステップにおいて決定した前記使用言語を特定する情報である使用言語特定情報を前記各遠隔会議装置に送信する送信ステップとを備えることを特徴とする会議使用言語決定方法。
【請求項２】
前記決定ステップは、前記遠隔会議装置がネットワークから切断された場合、当該遠隔会議装置である切断遠隔会議装置を利用して前記遠隔会議に参加していた会議退席者の会話可能言語、又は、前記切断遠隔会議装置に対する前記地域別公用語を前記使用候補言語群から除いて、前記遠隔会議における使用言語を再び決定し、
前記送信ステップは、前記決定ステップにおいて、前記遠隔会議における使用言語を再び決定した場合には、当該使用言語を特定する使用言語特定情報を前記各遠隔会議装置に送信することを特徴とする請求項１に記載の会議使用言語決定方法。
【請求項３】
前記決定ステップは、前記遠隔会議において会議退席者が検出された場合、当該会議退席者の会話可能言語を前記使用候補言語群から除いて、前記遠隔会議における使用言語を再び決定し、
前記送信ステップは、前記決定ステップにおいて、前記遠隔会議における使用言語を再び決定した場合には、当該使用言語を特定する使用言語特定情報を前記各遠隔会議装置に送信することを特徴とする請求項１又は２に記載の会議使用言語決定方法。
【請求項４】
前記取得ステップは、新たに遠隔会議装置がネットワークに接続された場合、当該遠隔会議装置である新接続遠隔会議装置を利用して、新たに前記遠隔会議に参加する会議参加者の会話可能言語、又は、前記新接続遠隔会議装置に対する前記地域別公用語を特定する情報である言語特定情報を新たに取得し、
前記決定ステップは、前記取得ステップにおいて新たに取得した前記言語特定情報から特定される前記会話可能言語又は前記地域別公用語を前記使用候補言語群に追加して、前記遠隔会議における使用言語を再び決定し、
前記送信ステップは、前記決定ステップにおいて、前記遠隔会議における使用言語を再び決定した場合には、当該使用言語を特定する使用言語特定情報を前記各遠隔会議装置に送信することを特徴とする請求項１〜３のいずれか１項に記載の会議使用言語決定方法。
【請求項５】
前記取得ステップは、新たに前記遠隔会議に参加する新会議参加者が検出された場合、当該新会議参加者に対する前記言語特定情報を新たに取得し、
前記決定ステップは、前記取得ステップにおいて新たに取得した前記言語特定情報から特定される会話可能言語を前記使用候補言語群に追加して、前記遠隔会議における使用言語を再び決定し、
前記送信ステップは、前記決定ステップにおいて、前記遠隔会議における使用言語を再び決定した場合には、当該使用言語を特定する使用言語特定情報を前記各遠隔会議装置に送信することを特徴とする請求項１〜４のいずれか１項に記載の会議使用言語決定方法。
【請求項６】
前記会議使用言語決定条件は、前記使用候補言語群の中に最も多く含まれている前記会話可能言語、又は、前記地域別公用語を前記使用言語として決定する条件であることを特徴とする請求項１〜５のいずれか１項に記載の会議使用言語決定方法。
【請求項７】
前記会議使用言語決定条件は、前記使用候補言語群の中に最も多く含まれている前記会話可能言語、又は、前記地域別公用語が複数ある場合には、そのうちの、世界で使用地域が最も多い言語を前記使用言語として決定する条件であることを特徴とする請求項６に記載の会議使用言語決定方法。
【請求項８】
前記会議使用言語決定条件は、前記使用候補言語群のうちの、前記遠隔会議参加者の全員が会話可能な言語を前記使用言語として決定する条件であることを特徴とする請求項６又は７に記載の会議使用言語決定方法。
【請求項９】
前記取得ステップは、１人の会議参加者に対して、会話し易い言語ほど、大きい数となるような重みが付された会話可能言語に対する前記言語特定情報を取得し、
前記決定ステップは、前記使用候補言語群に含まれている各会話可能言語の個数に対して、前記会話可能言語に付されている前記重みが大きくなるほどその会話可能言語の個数が増加する処理である所定の重み付け処理を実行し、前記使用候補言語群として、前記重み付け処理後の使用候補言語群を用いることを特徴とする請求項６又は７に記載の会議使用言語決定方法。
【請求項１０】
前記取得ステップは、１人の会議参加者に対して、会話し易い言語ほど、高い順位となるような優先順位が付された会話可能言語に対する前記言語特定情報を取得し、
前記会議使用言語決定条件は、前記使用候補言語群の、前記優先順位が最高位の会話可能言語の集まりの中で最も多く含まれている会話可能言語を前記使用言語として決定し、当該最も多く含まれている会話可能言語が複数ある場合は、下位の同じ前記優先順位に属している会話可能言語の集まりの中で最も多く含まれている会話可能言語を前記使用言語として決定する条件であることを特徴とする請求項６に記載の会議使用言語決定方法。
【請求項１１】
前記取得ステップは、前記各遠隔会議装置に予め設定されている情報から前記地域別公用語を特定する前記言語特定情報を取得することを特徴とする請求項１〜１０のいずれか１項に記載の会議使用言語決定方法。
【請求項１２】
前記取得ステップは、前記各遠隔会議装置に入力された前記会話可能言語を特定する前記言語特定情報を取得することを特徴とする請求項１〜１０のいずれか１項に記載の会議使用言語決定方法。
【請求項１３】
複数の地点に設けられた遠隔会議装置をネットワークに接続して遠隔会議を行う際の使用言語を決定する会議使用言語決定装置であって、
各会議参加者の少なくとも１つの会話可能言語と前記各遠隔会議装置が設けられる地点を含む地域の公用語である地域別公用語の少なくとも一方を特定する情報である言語特定情報を取得する取得手段と、
前記取得手段が取得した前記言語特定情報から特定される複数の前記会話可能言語又は複数の前記地域別公用語である使用候補言語群の中から、所定の会議使用言語決定条件に従って、前記遠隔会議における使用言語を決定する決定手段と、
前記決定手段が決定した前記使用言語を特定する情報である使用言語特定情報を前記各遠隔会議装置に送信する送信手段とを備えることを特徴とする会議使用言語決定装置。
【請求項１４】
請求項１〜１２のいずれか１項に記載の会議使用言語決定方法の各種処理ステップをコンピュータに実行させる会議使用言語決定プログラム。
【発明の詳細な説明】
【技術分野】
【０００１】
本発明は、複数の地点に設けられた遠隔会議装置をネットワークに接続して遠隔会議を行う際の使用言語を決定する会議使用言語決定方法、会議使用言語決定装置及び会議使用言語決定プログラムに関する。
【背景技術】
【０００２】
従来、移動時間や移動に伴う経費を削減できることから、遠隔会議を利用する企業が多くなってきている。しかし、遠隔会議では、各地点の会議参加者についての情報が把握しづらいという問題があった。そこで、特許文献１では、遠隔会議に参加する会議参加者に関する情報を収集して、遠隔会議が行われている各地点において、その収集した会議参加者に関する情報を印刷出力している。こうすることにより、会議参加者は、どの地点でどういう人（名前、性別、歳、部署名、出身地等）が遠隔会議に参加しているのかを把握することができる。
【特許文献１】特開２００２―１２５２１０号公報
【発明の開示】
【発明が解決しようとする課題】
【０００３】
ところで、近年、グローバル化が進み、さまざまな国の人が遠隔会議に参加することが多くなってきている。この場合、遠隔会議において、どの言語で会議を進行すればよいのか判断するのが困難であった。特許文献１のように、会議参加者に関する情報を印刷出力して、その会議参加者に関する情報の中に各会議参加者が会話可能な言語が含まれていたとしても、会話可能な言語が複数含まれていた場合には、遠隔会議での使用言語を決定するのは難しい。
【０００４】
本発明は、以上の問題点に鑑みてなされたものであり、遠隔会議における使用言語を決定する会議使用言語決定方法、会議使用言語決定装置及び会議使用言語決定プログラムを提供することを目的とする。
【課題を解決するための手段】
【０００５】
上記目的を達成するために、請求項１の会議使用言語決定方法は、複数の地点に設けられた遠隔会議装置をネットワークに接続して遠隔会議を行うためにコンピュータにより処理される会議使用言語決定方法であって、各会議参加者の少なくとも１つの会話可能言語と前記各遠隔会議装置が設けられる地点を含む地域の公用語である地域別公用語の少なくとも一方を特定する情報である、外部からコンピュータに入力された言語特定情報を取得する取得ステップと、前記取得ステップにおいて取得した前記言語特定情報から特定される複数の前記会話可能言語又は複数の前記地域別公用語である使用候補言語群の中から、情報記憶装置に記憶されている所定の会議使用言語決定条件に従って、前記遠隔会議における使用言語を決定する決定ステップと、前記決定ステップにおいて決定した前記使用言語を特定する情報である使用言語特定情報を前記各遠隔会議装置に送信する送信ステップとを備えることを特徴とする。
【０００６】
また、請求項２の会議使用言語決定方法は、請求項１に記載の発明の構成に加え、前記決定ステップは、前記遠隔会議装置がネットワークから切断された場合、当該遠隔会議装置である切断遠隔会議装置を利用して前記遠隔会議に参加していた会議退席者の会話可能言語、又は、前記切断遠隔会議装置に対する前記地域別公用語を前記使用候補言語群から除いて、前記遠隔会議における使用言語を再び決定し、前記送信ステップは、前記決定ステップにおいて、前記遠隔会議における使用言語を再び決定した場合には、当該使用言語を特定する使用言語特定情報を前記各遠隔会議装置に送信することを特徴とする。
【０００７】
また、請求項３の会議使用言語決定方法は、請求項１又は２に記載の発明の構成に加え、前記決定ステップは、前記遠隔会議において会議退席者が検出された場合、当該会議退席者の会話可能言語を前記使用候補言語群から除いて、前記遠隔会議における使用言語を再び決定し、前記送信ステップは、前記決定ステップにおいて、前記遠隔会議における使用言語を再び決定した場合には、当該使用言語を特定する使用言語特定情報を前記各遠隔会議装置に送信することを特徴とする。
【０００８】
また、請求項４の会議使用言語決定方法は、請求項１〜３のいずれか１項に記載の発明の構成に加え、前記取得ステップは、新たに遠隔会議装置がネットワークに接続された場合、当該遠隔会議装置である新接続遠隔会議装置を利用して、新たに前記遠隔会議に参加する会議参加者の会話可能言語、又は、前記新接続遠隔会議装置に対する前記地域別公用語を特定する情報である言語特定情報を新たに取得し、前記決定ステップは、前記取得ステップにおいて新たに取得した前記言語特定情報から特定される前記会話可能言語又は前記地域別公用語を前記使用候補言語群に追加して、前記遠隔会議における使用言語を再び決定し、前記送信ステップは、前記決定ステップにおいて、前記遠隔会議における使用言語を再び決定した場合には、当該使用言語を特定する使用言語特定情報を前記各遠隔会議装置に送信することを特徴とする。
【０００９】
また、請求項５の会議使用言語決定方法は、請求項１〜４のいずれか１項に記載の発明の構成に加え、前記取得ステップは、新たに前記遠隔会議に参加する新会議参加者が検出された場合、当該新会議参加者に対する前記言語特定情報を新たに取得し、前記決定ステップは、前記取得ステップにおいて新たに取得した前記言語特定情報から特定される会話可能言語を前記使用候補言語群に追加して、前記遠隔会議における使用言語を再び決定し、前記送信ステップは、前記決定ステップにおいて、前記遠隔会議における使用言語を再び決定した場合には、当該使用言語を特定する使用言語特定情報を前記各遠隔会議装置に送信することを特徴とする。
【００１０】
また、請求項６の会議使用言語決定方法は、請求項１〜５のいずれか１項に記載の発明の構成に加え、前記会議使用言語決定条件は、前記使用候補言語群の中に最も多く含まれている前記会話可能言語、又は、前記地域別公用語を前記使用言語として決定する条件であることを特徴とする。
【００１１】
また、請求項７の会議使用言語決定方法は、請求項６に記載の発明の構成に加え、前記会議使用言語決定条件は、前記使用候補言語群の中に最も多く含まれている前記会話可能言語、又は、前記地域別公用語が複数ある場合には、そのうちの、世界で使用地域が最も多い言語を前記使用言語として決定する条件であることを特徴とする。
【００１２】
また、請求項８の会議使用言語決定方法は、請求項６又は７に記載の発明の構成に加え、前記会議使用言語決定条件は、前記使用候補言語群のうちの、前記遠隔会議参加者の全員が会話可能な言語を前記使用言語として決定する条件であることを特徴とする。
【００１３】
また、請求項９の会議使用言語決定方法は、請求項６又は７に記載の発明の構成に加え、前記取得ステップは、１人の会議参加者に対して、会話し易い言語ほど、大きい数となるような重みが付された会話可能言語に対する前記言語特定情報を取得し、前記決定ステップは、前記使用候補言語群に含まれている各会話可能言語の個数に対して、前記会話可能言語に付されている前記重みが大きくなるほどその会話可能言語の個数が増加する処理である所定の重み付け処理を実行し、前記使用候補言語群として、前記重み付け処理後の使用候補言語群を用いることを特徴とする。
【００１４】
また、請求項１０の会議使用言語決定方法は、請求項６に記載の発明の構成に加え、前記取得ステップは、１人の会議参加者に対して、会話し易い言語ほど、高い順位となるような優先順位が付された会話可能言語に対する前記言語特定情報を取得し、前記会議使用言語決定条件は、前記使用候補言語群の、前記優先順位が最高位の会話可能言語の集まりの中で最も多く含まれている会話可能言語を前記使用言語として決定し、当該最も多く含まれている会話可能言語が複数ある場合は、下位の同じ前記優先順位に属している会話可能言語の集まりの中で最も多く含まれている会話可能言語を前記使用言語として決定する条件であることを特徴とする。
【００１５】
また、請求項１１の会議使用言語決定方法は、請求項１〜１０のいずれか１項に記載の発明の構成に加え、前記取得ステップは、前記各遠隔会議装置に予め設定されている情報から前記地域別公用語を特定する前記言語特定情報を取得することを特徴とする。
【００１６】
また、請求項１２の会議使用言語決定方法は、請求項１〜１０のいずれか１項に記載の発明の構成に加え、前記取得ステップは、前記各遠隔会議装置に入力された前記会話可能言語を特定する前記言語特定情報を取得することを特徴とする。
【００１７】
また、請求項１３の会議使用言語決定装置は、複数の地点に設けられた遠隔会議装置をネットワークに接続して遠隔会議を行う際の使用言語を決定する会議使用言語決定装置であって、各会議参加者の少なくとも１つの会話可能言語と前記各遠隔会議装置が設けられる地点を含む地域の公用語である地域別公用語の少なくとも一方を特定する情報である言語特定情報を取得する取得手段と、前記取得手段が取得した前記言語特定情報から特定される複数の前記会話可能言語又は複数の前記地域別公用語である使用候補言語群の中から、所定の会議使用言語決定条件に従って、前記遠隔会議における使用言語を決定する決定手段と、前記決定手段が決定した前記使用言語を特定する情報である使用言語特定情報を前記各遠隔会議装置に送信する送信手段とを備えることを特徴とする。
【００１８】
また、請求項１４の会議使用言語決定プログラムは、請求項１〜１２のいずれか１項に記載の会議使用言語決定方法の各種処理ステップをコンピュータに実行させることを特徴とする。
【発明の効果】
【００１９】
請求項１の会議使用言語決定方法によれば、取得ステップにおいて、各会議参加者の少なくとも１つの会話可能言語と各遠隔会議装置が設けられる地点を含む地域の公用語である地域別公用語の少なくとも一方を特定する情報である、外部からコンピュータに入力された言語特定情報が取得される。次いで、決定ステップにおいて、取得ステップにおいて取得した言語特定情報から特定される複数の会話可能言語又は複数の地域別公用語である使用候補言語群の中から、情報記憶装置に記憶されている所定の会議使用言語決定条件に従って、遠隔会議における使用言語が決定される。そして、送信ステップにおいて、その使用言語を特定する使用言語特定情報が各遠隔会議装置に送信される。したがって、各遠隔会議装置は、その使用言語特定情報から特定される使用言語を会議参加者に通知できる。すなわち、遠隔会議における使用言語を決定できる。
【００２０】
また、請求項２の会議使用言語決定方法によれば、決定ステップにおいて、遠隔会議装置がネットワークから切断された場合、その遠隔会議装置である切断遠隔会議装置を利用して遠隔会議に参加していた会議退席者の会話可能言語、又は、切断遠隔会議装置に対する地域別公用語を使用候補言語群から除いて、遠隔会議における使用言語が再び決定される。そして、送信ステップにおいて、その使用言語を特定する使用言語特定情報が各遠隔会議装置に再送信される。したがって、各遠隔会議装置は、使用言語を会議参加者に再通知できる。よって、請求項２の会議使用言語決定方法は、請求項１に記載の発明の効果に加え、会議退席者がいたとしても、残りの会議参加者は再通知された言語で会議を進行することができる。
【００２１】
また、請求項３の会議使用言語決定方法によれば、決定ステップにおいて、遠隔会議における会議退席者が検出された場合、その会議退席者の会話可能言語を使用候補言語群から除いて、遠隔会議における使用言語が再び決定される。そして、送信ステップにおいて、その使用言語を特定する使用言語特定情報が各遠隔会議装置に再送信される。したがって、各遠隔会議装置は、使用言語を会議参加者に再通知できる。よって、請求項３の会議使用言語決定方法は、請求項１又は２に記載の発明の効果に加え、会議退席者がいたとしても、残りの会議参加者は再通知された言語で会議を進行することができる。
【００２２】
また、請求項４の会議使用言語決定方法によれば、新たに遠隔会議装置がネットワークに接続された場合、取得ステップにおいて、その遠隔会議装置である新接続遠隔会議装置を利用して、新たに遠隔会議に参加する会議参加者の会話可能言語、又は、新接続遠隔会議装置に対する地域別公用語を特定する情報である言語特定情報が新たに取得される。決定ステップにおいて、その新たに取得された言語特定情報から特定される会話可能言語又は地域別公用語を使用候補言語群に追加して、遠隔会議における使用言語が再び決定される。そして、送信ステップにおいて、再決定された使用言語を特定する使用言語特定情報が各遠隔会議装置に送信される。したがって、各遠隔会議装置は、使用言語を会議参加者に再通知できる。よって、請求項４の会議使用言語決定方法は、請求項１〜３のいずれか１項に記載の発明の効果に加え、新たに会議参加者がいたとしても、会議参加者は再通知された言語で会議を進行することができる。
【００２３】
また、請求項５の会議使用言語決定方法によれば、新たに遠隔会議に参加する新会議参加者が検出された場合、取得ステップにおいて、その新会議参加者に対する言語特定情報が新たに取得される。決定ステップにおいて、その新たに取得された言語特定情報から特定される会話可能言語を使用候補言語群に追加して、遠隔会議における使用言語が再び決定される。そして、送信ステップにおいて、再決定された使用言語を特定する使用言語特定情報が各遠隔会議装置に送信される。したがって、各遠隔会議装置は、使用言語を会議参加者に再通知できる。よって、請求項４の会議使用言語決定方法は、請求項１〜４のいずれか１項に記載の発明の効果に加え、新会議参加者がいたとしても、会議参加者は再通知された言語で会議を進行することができる。
【００２４】
また、請求項６の会議使用言語決定方法は、請求項１〜５のいずれか１項に記載の発明の効果に加え、会議使用言語決定条件は、使用候補言語群の中に最も多く含まれている会話可能言語、又は、地域別公用語を使用言語として決定する条件であるので、決定ステップにおいて決定された使用言語を使用すれば、多くの会議参加者が会議で会話できる。
【００２５】
また、請求項７の会議使用言語決定方法は、請求項６に記載の発明の効果に加え、会議使用言語決定条件は、使用候補言語群の中に最も多く含まれている会話可能言語、又は、地域別公用語が複数ある場合には、そのうちの、世界で使用地域が最も多い言語を使用言語として決定する条件であるので、使用言語を一つに絞ることができる。したがって、遠隔会議をスムーズに進行できる。
【００２６】
また、請求項８の会議使用言語決定方法は、請求項６又は７に記載の発明の効果に加え、会議使用言語決定条件は、使用候補言語群のうちの、遠隔会議参加者の全員が会話可能な言語を使用言語として決定する条件であるので、決定ステップにおいて決定された使用言語を使用すれば会議参加者の全員が会話できる。
【００２７】
また、請求項９の会議使用言語決定方法によれば、取得ステップにおいて、１人の会議参加者に対して、会話し易い言語ほど、大きい数となるような重みが付された会話可能言語に対する言語特定情報が取得される。そして、決定ステップにおいて、使用候補言語群に含まれている各会話可能言語の個数に対して、会話可能言語に付されている重みが大きくなるほどその会話可能言語の個数が増加する処理である所定の重み付け処理が実行され、使用候補言語群として、重み付け処理後の使用候補言語群が用いられる。したがって、請求項９の会議使用言語決定装置は、請求項６又は７に記載の発明の効果に加え、重みが大きい会話可能言語ほど、使用言語として決定される確率が高くなるので、重みが大きい会話可能言語が決定された会議参加者にとっては、会議に参加しやすくなる。
【００２８】
請求項１０の会議使用言語決定方法によれば、取得ステップにおいて、１人の会議参加者に対して、会話し易い言語ほど、高い順位となるような優先順位が付された会話可能言語に対する言語特定情報が取得される。そして、会議使用言語決定条件は、使用候補言語群の、優先順位が最高位の会話可能言語の集まりの中で最も多く含まれている会話可能言語を使用言語として決定し、その最も多く含まれている会話可能言語が複数ある場合は、下位の同じ優先順位に属している会話可能言語の集まりの中で最も多く含まれている会話可能言語を使用言語として決定する条件である。したがって、請求項１０の会議使用言語決定方法は、請求項６に記載の発明の効果に加え、優先順位が高いものから順番に会話可能言語が決定されることになるので、決定された使用言語で会議を進行すれば、会議に参加しやすい会議参加者が多くなる。
【００２９】
また、請求項１１の会議使用言語決定方法は、請求項１〜１０のいずれか１項に記載の発明の効果に加え、各遠隔会議装置に予め設定されている情報から地域別公用語を特定する言語特定情報を取得できる。
【００３０】
また、請求項１２の会議使用言語決定方法は、請求項１〜１０のいずれか１項に記載の発明の効果に加え、各遠隔会議装置に入力された会話可能言語を特定する言語特定情報を取得できる。
【００３１】
請求項１３の会議使用言語決定装置によれば、取得手段によって、各会議参加者の少なくとも１つの会話可能言語と各遠隔会議装置が設けられる地点を含む地域の公用語である地域別公用語の少なくとも一方を特定する情報である言語特定情報が取得される。決定手段によって、取得手段において取得した言語特定情報から特定される複数の会話可能言語又は複数の地域別公用語である使用候補言語群の中から、所定の使用言語決定条件に従って、遠隔会議における使用言語が１つ決定される。そして、送信手段によって、その使用言語を特定する使用言語特定情報が各遠隔会議装置に送信される。したがって、各遠隔会議装置は、その使用言語特定情報から特定される使用言語を会議参加者に通知できる。すなわち、遠隔会議における使用言語を決定できる。
【００３２】
請求項１４の会議使用言語決定プログラムをコンピュータに実行させれば、請求項１〜１２のいずれか１項に記載の発明の効果を得ることができる。
【発明を実施するための最良の形態】
【００３３】
（第１実施形態）
以下、本発明の第１実施形態について図面を参照して説明する。図１は、本実施形態の遠隔会議システム１の概略を示したブロック図である。同図に示すように、遠隔会議システム１は会議使用言語決定装置１０、遠隔会議装置２１ａ〜２１ｄ、及びＭＣＵ３０がネットワーク４０に接続されて構成される。なお、ネットワーク４０は、インターネットやＩＳＤＮ回線網であり、離れた地点間でデータの送受信が可能である。以下、それぞれの構成について詳細に説明する。また、ネットワーク４０に接続する遠隔会議装置の数は複数であるならばいくつであってもよい。
【００３４】
先ず、会議使用言語決定装置１０について説明する。この会議使用言語決定装置１０は、ネットワーク４０に接続できる環境ならばどこの拠点に設置してもよい。図２は、会議使用言語決定装置１０の概略構成を示したブロック図である。同図に示すように、会議使用言語決定装置１０は、ＲＯＭ１０２、ＲＡＭ１０３、表示装置１０４、入力装置１０５、通信装置１０６、ＨＤＤ１０７、及び、時計１０８がバス１０９を介してＣＰＵ１０１に接続されている。
【００３５】
ＣＰＵ１０１は、バス１０９を介して、ＲＯＭ１０２、ＲＡＭ１０３、表示装置１０４、入力装置１０５、通信装置１０６、及びＨＤＤ１０７を制御して、種々の処理を実行する。具体的には、人物の氏名、会話可能言語を含む人物情報、及び、遠隔会議の名称、開催日時、会議参加者を含む会議情報を登録する人物・会議情報登録処理を実行する。なお、この人物・会議情報登録処理については、フローチャートを参照して後述する。また、遠隔会議が開始されたときには、会議時処理を実行する。なお、この会議時処理についてはフローチャートを参照して後述する。
【００３６】
ＲＯＭ１０２は、上述の人物・会議情報登録処理及び会議時処理をＣＰＵ１０１に実行させるためのプログラムが記憶されている。また、ＲＯＭ１０２は、本発明の「情報記憶装置」に相当し、ＣＰＵ１０１が会議時処理を実行する際に、遠隔会議での使用言語を決定するための会議使用言語決定条件が記憶されている。
【００３７】
ＲＡＭ１０３は、ＣＰＵ１０１が種々の処理を実行する際に、種々のデータを一時的に記憶する。表示装置１０４は、ＣＲＴ、ＬＣＤ等の画面を有し、ＣＰＵ１０１からの信号に応じて、その画面に種々の像を表示する。具体的には、表示装置１０４は、ＣＰＵ１０１が人物・会議情報登録処理を実行する際に、ユーザが上記人物情報又は会議情報を入力するための人物情報登録画面、又は会議情報登録画面を表示する。
【００３８】
入力装置１０５は、例えば、キーボードやマウスであり、ユーザが上記人物情報又は会議情報を入力するために用いられる。通信装置１０６は、ＣＰＵ１０１が所定のプロトコルに準じて外部と通信をするための装置である。例えば、ＣＰＵ１０１は、通信装置１０６を用いて、上記接続情報を各遠隔会議装置２１ａ〜２１ｄから受信したり、新たに遠隔会議装置がネットワーク４０に接続されたときに、その遠隔会議装置を認識するための接続情報を受信する。また、ＣＰＵ１０１は、会議時処理を実行した結果、決定した使用言語を特定する情報である使用言語特定情報を、通信装置１０６を用いて、各遠隔会議装置２１ａ〜２１ｄに送信する。
【００３９】
ＨＤＤ１０７は、周知のハードディスクであり、種々のデータを記憶する。図３は、ＨＤＤ１０７の記憶エリアを示す概念図である。同図に示すように、ＨＤＤ１０７の記憶エリアは、後述する公用語テーブルを記憶する公用語テーブル記憶エリア１０７１、人物情報を記憶する人物情報記憶エリア１０７２、会議情報を記憶する会議情報記憶エリア１０７３等が設けられている。ここで、公用語テーブル記憶エリア１０７１に記憶される公用語テーブルは、図４に示すように、公用度と言語が一対一に対応付けられているテーブルである。公用度は、世界で使用地域が多い言語を公用度が高くなるように定められており、公用度の数字が１が一番高く、数字が大きくなる程公用度が低いことを示している。図４では、英語の公用度が最も高くなっており、以下、ドイツ語、フランス語、スペイン語、日本語、中国語、・・・の順で公用度が高くなっている。
【００４０】
時計１０８は、日時を計測する。この時計１０８は、遠隔会議が開始されたときに、どの会議が開始されたのかをＣＰＵ１０１が特定するために用いられる。
【００４１】
次に、図５を参照して遠隔会議装置２１ａ〜２１ｄについて説明する。図５は、遠隔会議装置２１ａ〜２１ｄの概略構成を示したブロック図である。なお、各遠隔会議装置２１ａ〜２１ｄは、同じ構成であるが、設置拠点が異なっている。これら遠隔会議装置２１ａ〜２１ｄは、遠隔会議時に各拠点の映像、及び音声を、ネットワーク４０を介して、後述するＭＣＵ３０に送信して、そのＭＣＵ３０から送信されてくる他の拠点の映像及び音声を出力する。図１に示すように、遠隔会議装置２１ａは拠点Ａの会議室に、遠隔会議装置２１ｂは拠点Ｂの会議室に、遠隔会議装置２１ｃは拠点Ｃの会議室に、遠隔会議装置２１は拠点Ｄの会議室に設置されている。図５に示すように、遠隔会議装置２１ａ〜２１ｄは、ＲＯＭ２０２、ＲＡＭ２０３、通信装置２０４、入力装置２０５、カメラ２０６、マイク２０７、表示装置２０８、及びスピーカ２０９がバス２１０を介してＣＰＵ２０１に接続されている。
【００４２】
ＣＰＵ２０１は、バス２１０を介して、ＲＯＭ２０２、ＲＡＭ２０３、通信装置２０４、入力装置２０５、カメラ２０６、マイク２０７、表示装置２０８、及びスピーカ２０９を制御して、種々の処理を実行する。例えば、遠隔会議を開始するときに通信装置２０４をネットワーク４０に接続したり、反対に遠隔会議を終了するときにはネットワーク４０から切断したりする。また、会議使用言語決定装置１０から使用言語特定情報が送信されてきたときには、その使用言語特定情報から特定される使用言語を表示装置２０８に表示させる。
【００４３】
ＲＯＭ２０２には、ＣＰＵ２０１が種々の処理を実行するためのプログラムが記憶されている。ＲＡＭ２０３は、ＣＰＵ２０１が種々の処理を実行する際に、種々のデータを一時的に記憶する。例えば、会議使用言語決定装置１０から使用言語特定情報が送信されてきたときには、その使用言語特定情報を記憶する。
【００４４】
通信装置２０４は、ＣＰＵ２０１が所定のプロトコルに準じて外部と通信をするための装置である。例えば、通信装置２０４は、遠隔会議が開始されたときには、後述するカメラ２０６によって入力された映像やマイク２０７によって入力された音声を、ネットワーク４０を介してＭＣＵ３０に送信する。また、ＭＣＵ３０から送信されてくる他の拠点の映像や音声を受信する。さらに、会議使用言語決定装置１０から送信されてくる使用言語特定情報を受信する。
【００４５】
入力装置２０５は、例えばキーボードやマウス等のポインティングデバイスであり、会議参加者が遠隔会議時に種々の遠隔会議装置２１ａ〜２１ｄに種々の処理を実行させるための信号を入力するための装置である。会議参加者はこの入力装置２０５を用いて、例えば、後述する表示装置２０８のスクリーンを所望の拠点Ａ〜Ｄの映像に切り替えたり、又は、全ての拠点Ａ〜Ｄの映像を表示させたりすることができる。また、会議参加者は入力装置２０５を用いて、遠隔会議装置２１ａ〜２１ｄをネットワーク４０に接続したり、ネットワーク４０から切断したりすることもできる。
【００４６】
また、ユーザは遠隔会議装置２１ａ〜２１ｄをネットワーク４０に接続させたいときには、この入力装置２０５を用いて、接続指示信号を入力することができる。ＣＰＵ２０１は、この接続指示信号を受信したときには、遠隔会議装置２１ａ〜２１ｄをネットワーク４０に接続するとともに、遠隔会議装置２１ａ〜２１ｄを識別する識別コードが付された、ネットワーク４０に接続した旨を示す接続信号を会議使用言語決定装置１０に送信する。同様に、ユーザは遠隔会議装置２１ａ〜２１ｄをネットワーク４０から切断させたいときには、入力装置２０５を用いて、切断指示信号を入力することができる。ＣＰＵ２０１は、この切断指示信号を受信したときには、遠隔会議装置２１ａ〜２１ｄをネットワーク４０から切断するとともに、上記識別コードが付された、ネットワーク４０から切断する旨を示す切断信号を会議使用言語決定装置１０に送信する。
【００４７】
さらに、ユーザは、入力装置２０５を用いて、遠隔会議実施時に、その遠隔会議に参加していた会議参加者のうち途中退席する会議退席者がいる場合に、その会議退席者を特定する、後述する人物ＩＤを入力できる。そして、その入力された人物ＩＤは、会議使用言語決定装置１０に送信されるようになっている。一方、ユーザは、入力装置２０５を用いて、遠隔会議実施時に、その遠隔会議に新たに参加する会議参加者である新会議参加者を特定する人物ＩＤを入力できる。そして、その入力された人物ＩＤは、会議使用言語決定装置１０に送信されるようになっている。
【００４８】
カメラ２０６は、遠隔会議に参加する会議参加者を撮像するためのカメラである。したがって、カメラ２０６は、会議参加者を撮像できる位置に設置される。マイク２０７は、会議参加者が発声した音声を取り込むためのマイクである。表示装置２０８は、スクリーンを有し、会議実施時において、そのスクリーンに他の拠点Ａ〜Ｄの映像を表示する。また、会議使用言語決定装置１０から送信されてくる使用言語特定情報から特定される使用言語を表示する。スピーカ２０９は、ネットワーク４０を介してＭＣＵ３０から送信されてきた他の拠点Ａ〜Ｄの音声を出力する。ＨＤＤ２１１は、周知のハードディスクであり、様々な情報を記憶することができる。
【００４９】
次に、図１に示すＭＣＵ３０について説明する。ＭＣＵ３０は、公知の多地点接続装置（Ｍｕｌｔｉ  Ｐｏｉｎｔ  Ｃｏｎｔｒｏｌ  Ｕｎｉｔ）であり、複数の遠隔会議装置をネットワークを介して接続する。そして、各遠隔会議装置から送信されてくる映像や音声を、各遠隔会議装置で共有させる。したがって、各遠隔会議装置を利用して遠隔会議に参加している会議参加者は、他の拠点における映像や音声を把握することができる。本実施形態では、遠隔会議装置２１ａ〜２１ｄがＭＣＵ３０で接続されている。
【００５０】
次に、図２に示す会議使用言語決定装置１０のＣＰＵ１０１が実行する人物・会議情報登録処理について図６のフローチャートを参照して説明する。なお、この処理は一定期間おきに実行される。先ず、ユーザによって人物情報登録画面を起動する指示信号が入力装置１０５から入力されたか否かに基づいて、人物情報登録画面の起動指示がされたか否かを判定する（Ｓ１１）。ここで、その指示信号が入力された場合は（Ｓ１１：ＹＥＳ）、Ｓ１２へ移行する。一方、指示信号が入力されなかった場合は（Ｓ１１：ＮＯ）、人物・会議情報登録処理を終了する。
【００５１】
人物情報登録画面の起動指示がされた場合（Ｓ１１：ＹＥＳ）、図７に示す人物情報登録画面を表示装置１０４の画面に表示させるとともに、後述するＳ１４の処理によってＨＤＤ１０７の人物情報記憶エリア１０７２に記憶された最新の人物情報の人物ＩＤに対して「１」増加させた人物ＩＤを付与する（Ｓ１２）。これによって、人物ＩＤは、人物情報の記憶順に１から順番に１ずつ増加されることになる。なお、図７では、人物ＩＤが１となっているので、他に人物情報は登録されていないことになる。また、人物情報登録画面には、氏名入力欄５１が設けられている。ユーザは入力装置１０５を用いて、この氏名入力欄５１に氏名を入力することができる。なお、図７では、氏名入力欄５１に「ＡＡＡＡ」と入力されている。さらに、人物情報登録画面には、図７に示すように会話可能言語の入力領域５２が設けられている。その会話可能言語の入力領域５２には、複数の言語名が表示されており、それぞれの言語名の横にはチェック欄が設けられている。また、会話可能言語の入力領域５２の右端にはスクロールバー９８が設けられており、ユーザは入力装置１０５を用いてそのスクロールバー９８を操作することによって、会話可能言語の入力領域５２をスクロールさせて、図７に表示されている言語名以外の言語名を表示させることができる。そして、ユーザは、入力装置１０５を用いて、氏名入力欄５１に入力した人物の会話可能言語に対応するチェック欄にチェックを入れることによって、その人物の会話可能言語を入力することができる。なお、図７では、会話可能言語として、「英語」と「日本語」のチェック欄にチェックが入っている。そして、ユーザは、氏名と会話可能言語を入力した後、入力装置１０５を用いて、登録ボタン９９を操作することによって、人物情報を登録することができる。
【００５２】
次いで、上述した登録ボタン９９が操作されたか否かによって、人物情報が入力されたか否かを判定する（Ｓ１３）。ここで、登録ボタン９９が操作された場合は（Ｓ１３：ＹＥＳ）、Ｓ１４へ移行する。一方、登録ボタン９９が操作されていない場合は（Ｓ１３：ＮＯ）、再度Ｓ１３を実行する。したがって、人物情報が入力されるまでは、Ｓ１３をループすることになる。
【００５３】
人物情報が入力されたと判定した場合（Ｓ１３：ＹＥＳ）、入力された人物情報をＨＤＤ１０７の人物情報記憶エリア１０７２に記憶する（Ｓ１４）。すなわち、図８に示すように、人物ＩＤに対応付けて、氏名と会話可能言語を記憶する。なお、Ｓ１４で記憶する会話可能言語は、本発明の「言語特定情報」に相当する。また、Ｓ１３、Ｓ１４の処理は、本発明の「取得ステップ」に相当し、Ｓ１３、Ｓ１４の処理を実行するＣＰＵ１０１は、本発明の「取得手段」に相当する。
【００５４】
なお、ユーザは入力装置１０５を用いて、図９に示すように、Ｓ１４において記憶された人物情報の一覧を示した画面である人物情報一覧画面を表示装置１０４の画面に表示させることができる。同図に示すように、人物情報一覧画面には、人物ＩＤに対応させて、氏名及び会話可能言語が表示されている。また、人物情報一覧画面には、スクロールバー９７が設けられており、ユーザは入力装置１０５を用いて、このスクロールバー９７を操作することによって、図９に表示されている人物情報（人物ＩＤ１〜７）以外の人物情報を表示させることができる。ユーザは、人物情報一覧画面を表示させることによって、どの人物がどの言語を会話可能であるのかを把握することができる。
【００５５】
次いで、ユーザによって会議情報登録画面を起動する指示信号が入力装置１０５から入力されたか否かに基づいて、会議情報登録画面を起動するか否かを判定する（Ｓ１５）。ここで、その指示信号が入力された場合は（Ｓ１５：ＹＥＳ）、Ｓ１６へ移行する。一方、指示信号が入力されなかった場合は（Ｓ１５：ＮＯ）、人物・会議情報登録処理を終了する。
【００５６】
会議情報登録画面を起動すると判定した場合（Ｓ１５：ＹＥＳ）、図１０に示すように会議情報登録画面を表示装置１０４の画面に表示させるとともに、後述するステップＳ１８の処理によってＨＤＤ１０７の会議情報記憶エリア１０７３に記憶された最新の会議情報の会議ＩＤに対して「１」増加させた会議ＩＤを付与する（Ｓ１６）。これにより、会議ＩＤは、会議情報の登録順に１から順番に１ずつ増加されることになる。なお、図１０では、会議ＩＤが１となっているので、他に会議情報は登録されていないことになる。また、会議情報登録画面には、会議名入力欄５３が設けられている。ユーザは入力装置１０５を用いて、この会議名入力欄５３に会議名を入力することができる。なお、図１０では、会議名入力欄５３に「企画決定会議」と入力されている。さらに、会議情報登録画面には、会議の開催日時入力欄５４が設けられている。そして、ユーザは入力装置１０５を用いて、この開催日時入力欄５４に会議の開催日時を入力することができる。なお、図１０では、開催日時入力欄５４に「５月１８日  １０時００分」と入力されている。
【００５７】
また、会議情報登録画面には、会議参加者人物ＩＤの表示領域５５が設けられている。ここに表示されている人物ＩＤに対応する人物が会議参加者となる。また、会議参加者人物ＩＤの表示領域５５には、表示されている人物ＩＤに対応する人物がどの拠点で会議に参加するのかを示す拠点名が人物ＩＤの右隣りに括弧内に表示されている。この、会議参加者人物ＩＤの表示領域５５に人物ＩＤ及び拠点名を表示させるには、ユーザは入力装置１０５を用いて、先ず図１０に示す会議参加者登録ボタン９６を操作する必要がある。すると、図９に示す人物情報一覧画面が表示装置１０４の画面に表示される。そして、ユーザは入力装置１０５を用いて、その人物情報一覧画面に表示されている人物情報から会議に参加させたい人物情報を選択できる。その後、選択した人物情報に対応する人物それぞれに対して、どの拠点で会議に参加するのかを選択する画面（図示せず）に切り替わる。そして、ユーザは、入力装置１０５を用いて、選択した人物情報に対応する人物それぞれに対して、どの拠点で会議に参加するのかを選択できる。このような手順をふむことによって、図１０に示すように、会議参加者人物ＩＤの表示領域５５に会議に参加させたい人物の人物ＩＤ及び拠点名が表示される。なお、図１０では、会議参加者人物ＩＤの表示領域５５には、「１（拠点Ａ）、４（拠点Ｂ）、７（拠点Ｂ）、８（拠点Ｃ）、１０（拠点Ｄ）、１１（拠点Ｃ）、１５（拠点Ｃ）」と表示されている。したがって、人物ＩＤが「１」の人物が「拠点Ａ」で、人物ＩＤが「４」の人物が「拠点Ｂ」で、人物ＩＤが「７」の人物が「拠点Ｂ」で、人物ＩＤが「８」の人物が「拠点Ｃ」、人物ＩＤが「１０」の人物が「拠点Ｄ」、人物ＩＤが「１１」の人物が「拠点Ｃ」、人物ＩＤが「１５」の人物が「拠点Ｃ」で「企画決定会議」に参加することになる。
【００５８】
また、会議情報登録画面には、登録ボタン９５が設けられており、ユーザは入力装置１０５を用いて、この登録ボタン９５を操作することによって、入力した会議情報を登録することができる。
【００５９】
次いで、上述した登録ボタン９５が操作されたか否かによって、会議情報が入力されたか否かを判定する（Ｓ１７）。ここで、登録ボタン９５が操作された場合は（Ｓ１７：ＹＥＳ）、Ｓ１８へ移行する。一方、登録ボタン９５が操作されていない場合は（Ｓ１７：ＮＯ）、Ｓ１７に戻る。したがって、会議情報が入力されるまでは、Ｓ１７をループすることになる。
【００６０】
会議情報が入力されたと判定した場合（Ｓ１７：ＹＥＳ）、入力された会議情報をＨＤＤ１０７の会議情報記憶エリア１０７３に記憶する（Ｓ１８）。すなわち、図１１に示すように、会議ＩＤに対応付けて、会議名、開催日時及び会議参加者人物ＩＤ（拠点名）を記憶する。なお、ユーザは入力装置１０５を用いて、図１２に示すように、Ｓ１８において記憶された会議情報の一覧を示した画面である会議情報一覧画面を表示装置１０４の画面に表示させることができる。同図に示すように、会議情報一覧画面には、会議ＩＤに対応させて、会議名及び開催日時が表示されている。したがって、ユーザは、会議情報一覧画面を表示させることによって、どの会議がどの日時で開催されるのかを把握することができる。なお、Ｓ１８の実行後、人物・会議情報登録処理を終了する。
【００６１】
次に、会議使用言語決定装置１０のＣＰＵ１０１が実行する、遠隔会議で使用する使用言語を決定する会議時処理について図１３、図１４を用いて説明する。なお、この会議時処理は、上述した人物・会議情報登録処理によって、ＨＤＤ１０７の会議情報記憶エリア１０７３に会議情報が記憶されている状態で、遠隔会議装置２１ａ〜２１ｄから上記接続信号が送信されてきたときに開始される。
【００６２】
先ず、人物・会議情報登録処理によって登録された会議情報に対応する会議のうち、どの会議が開始されたのかを特定する（Ｓ１０１）。具体的には、会議情報記憶エリア１０７３に記憶されている会議情報の開催日時のうち、時計１０８が計測した現在日時と最も近いものを探索する。そして、現在日時と最も近い会議情報の開催日時に対応する会議が開催されたと特定する。なお、入力装置１０５を用いて、ユーザが今から開催する会議を指定できるようにしてもよい。
【００６３】
次いで、開催された遠隔会議での使用言語の候補となる言語群である使用候補言語群を決定する（Ｓ１０２）。具体的には、Ｓ１０１にて特定した会議に対応する会議情報を会議情報記憶エリア１０７３から読み出す。そして、読み出した会議情報に含まれている会議参加者人物ＩＤに対応する人物情報をＨＤＤ１０７の人物情報記憶エリア１０７２から読み出す。そして、読み出した人物情報に含まれている会話可能言語を収集する。その収集した会話可能言語の集まりを使用候補言語群とする。なお、この使用候補言語群を構成する各会話可能言語には、どの人物情報に含まれている会話可能言語なのかが識別できるようになっている。
【００６４】
次いで、ＲＯＭ１０２に記憶されている会議使用言語決定条件に従って、Ｓ１０２において決定した使用候補言語群、又は後述するＳ１１０において更新された使用候補言語群の中から、開催された遠隔会議での使用言語を一つ決定する（Ｓ１０３）。具体的には、図１４のサブルーチンのフローチャートの処理に従って決定する。以下、このフローチャートの処理について説明する。
【００６５】
先ず、使用候補言語群の中から遠隔会議に参加している会議参加者の全員が会話可能な言語を探索する（Ｓ１０３１）。上述したように、使用候補言語群を構成する各会話可能言語は、どの人物情報に含まれている会話可能言語なのかが識別できるようになっているので、各会話可能言語について、どの人物情報に含まれている会話可能言語なのかを識別していくことによって、会議参加者の全員が会話可能な言語を探索することができる。
【００６６】
次いで、会議参加者の全員が会話可能な言語が有るか否かを判定する（Ｓ１０３２）。そして、会議参加者の全員が会話可能な言語が有る場合は（Ｓ１０３２：ＹＥＳ）、会議参加者の全員が会話可能な言語の数が単数か否かを判定する（Ｓ１０３３）。会話可能な言語の数が単数の場合は（Ｓ１０３３：ＹＥＳ）、会議参加者の全員が会話可能な言語を使用言語として決定し（Ｓ１０３４）、このサブルーチンの処理を抜ける。また、Ｓ１０３３で、会議参加者の全員が会話可能な言語の数が単数でない場合は、会議参加者の全員が会話可能な言語が複数あるので、ＨＤＤ１０７の公用語テーブル記憶エリア１０７１に記憶されている公用語テーブル（図４参照）を参照して、その複数の言語のうち、公用度が最も高い言語を使用言語として決定し（Ｓ１０３５）、このサブルーチンの処理を抜ける。
【００６７】
一方、Ｓ１０３２で、会議参加者の全員が会話可能な言語が無い場合は（Ｓ１０３２：ＮＯ）、使用候補言語群の中から最多数の会話可能言語を探索する（Ｓ１０３６）。次いで、最多数の会話可能言語の数が単数か否かを判定する（Ｓ１０３７）。会話可能言語の数が単数の場合は（Ｓ１０３７：ＹＥＳ）、最多数の会話可能言語を使用言語として決定し（Ｓ１０３８）、このサブルーチンの処理を抜ける。また、会話可能言語の数が複数の場合は（Ｓ１０３７：ＮＯ）、ＨＤＤ１０７の公用語テーブル記憶エリア１０７１に記憶されている公用語テーブル（図４参照）を参照して、その複数の言語のうち、公用度が最も高い言語を使用言語として決定し（Ｓ１０３９）、このサブルーチンの処理を抜ける。なお、図１３のＳ１０３（図１４のフローチャート）の処理は、本発明の「決定ステップ」に相当する。また、図１３のＳ１０３（図１４のフローチャート）の処理を実行するＣＰＵ１０１は、本発明の「決定手段」に相当する。
【００６８】
説明を図１３のフローチャートの処理に戻り、Ｓ１０３にて決定した使用言語を特定可能な情報である使用言語特定情報を各遠隔会議装置２１ａ〜２１ｄに送信する（Ｓ１０４）。なお、Ｓ１０４は、本発明の「送信ステップ」に相当し、Ｓ１０４を実行するＣＰＵ１０１は、本発明の「送信手段」に相当する。
【００６９】
次いで、ネットワーク４０から切断された遠隔会議装置２１ａ〜２１ｄを示す切断遠隔会議装置が有るか否かを判定する（Ｓ１０５）。これは、遠隔会議装置２１ａ〜２１ｄから、上記切断信号が送信されてきたか否かによって判定できる。ここで、切断信号が送信されてきた場合は（Ｓ１０５：ＹＥＳ）、Ｓ１１０へ移行する。そして、切断信号に付されている遠隔会議装置２１ａ〜２１ｄを識別する識別コードに基づいて、どの遠隔会議装置２１ａ〜２１ｄがネットワーク４０から切断されたのかを特定して、特定した切断遠隔会議装置を利用して遠隔会議に参加していた会議参加者の会話可能言語を、使用候補言語群から除く（Ｓ１１０）。なお、上述したように、会議情報には、人物ＩＤとともに、その人物ＩＤに対応する人物がどこの拠点Ａ〜Ｄで会議に参加するのかを示す拠点名も含まれているので（図１１参照）、切断遠隔会議装置が設置されている拠点Ａ〜Ｄが特定できれば、その切断遠隔会議装置を利用して遠隔会議に参加していた人物も特定できる。その後、Ｓ１０３に戻って、上述した図１４のフローチャートの処理に従って、再び、使用言語を決定する。そして、Ｓ１０４において、再び、使用言語特定情報を各遠隔会議装置２１ａ〜２１ｄに送信する。
【００７０】
一方、Ｓ１０５で、切断信号が送信されてこない場合は、Ｓ１０５がＮＯとなり、遠隔会議装置２１ａ〜２１ｄ以外に新たにネットワーク４０に接続された遠隔会議装置である新接続遠隔会議装置が有るか否かを判定する（Ｓ１０６）。上述したように、遠隔会議装置がネットワーク４０に接続するときには、その遠隔会議装置は接続信号を会議使用言語決定装置１０に送信するので、接続信号が送信されてきたか否かによって、新接続遠隔会議装置が有るか否かを判定できる。ここで、接続信号が送信されてきた場合は、Ｓ１０６がＹＥＳとなり、Ｓ１１０へ移行する。そして、接続信号に付されている識別コードに基づいて、どの遠隔会議装置がネットワーク４０に接続されたのかを特定して、特定した新接続遠隔会議装置を利用して遠隔会議に参加する会議参加者の会話可能言語を使用候補言語群に追加する（Ｓ１１０）。なお、この場合、上述した人物・会議情報登録処理によって、ユーザは、新接続遠隔会議装置を利用して遠隔会議に参加する人物の人物ＩＤを、会議情報に追加しておく必要がある。すなわち、図８の会議登録画面を表示させて、その会議登録画面において、会議参加者人物ＩＤの表示領域に、新接続遠隔会議装置を利用して遠隔会議に参加する人物の人物ＩＤを追加する必要がある。そうしないと、新接続遠隔会議装置を利用して遠隔会議に参加する会議参加者を特定できないからである。その後、Ｓ１０３に戻って、上述した図１４のフローチャートの処理に従って、再び、使用言語を決定する。そして、Ｓ１０４において、再び、使用言語特定情報を各遠隔会議装置２１ａ〜２１ｄに送信する。
【００７１】
一方、Ｓ１０６で、接続信号が送信されてこない場合は（Ｓ１０６：ＮＯ）、遠隔会議実施時に、その遠隔会議に参加していた会議参加者のうち途中退席する会議退席者を検出したか否かを判定する（Ｓ１０７）。上述したように、ユーザは、遠隔会議装置２１ａ〜２１ｄの入力装置２０５を用いて、遠隔会議実施時に、会議退席者がいる場合に、その会議退席者を特定する人物ＩＤを入力できる。そして、遠隔会議装置２１ａ〜２１ｄは、その入力された人物ＩＤを、会議使用言語決定装置１０に送信する。したがって、遠隔会議装置２１ａ〜２１ｄから、会議退席者を特定する人物ＩＤが送信されてきたか否かによって、会議退席者を検出したか否かを判定できる。ここで、人物ＩＤが送信されてきた場合は（Ｓ１０７：ＹＥＳ）、会議退席者の会話可能言語を使用候補言語群から除く（Ｓ１１０）。その後、Ｓ１０３に戻って、上述した図１４のフローチャートの処理に従って、再び、使用言語を決定する。そして、Ｓ１０４において、再び、使用言語特定情報を各遠隔会議装置２１ａ〜２１ｄに送信する。
【００７２】
一方、Ｓ１０７で、人物ＩＤが送信されてこない場合は（Ｓ１０７：ＮＯ）、遠隔会議実施時に、その遠隔会議に新たに参加する会議参加者である新会議参加者を検出したか否かを判定する（Ｓ１０８）。上述したように、ユーザは、遠隔会議装置２１ａ〜２１ｄの入力装置２０５を用いて、遠隔会議実施時に、新会議参加者を特定する人物ＩＤを入力できる。そして、遠隔会議装置２１ａ〜２１ｄは、その入力された人物ＩＤを、会議使用言語決定装置１０に送信する。したがって、遠隔会議装置２１ａ〜２１ｄから、新会議参加者を特定する人物ＩＤが送信されてきたか否かによって、新会議参加者を検出したか否かを判定できる。ここで、人物ＩＤが送信されてきた場合は（Ｓ１０８：ＹＥＳ）、新会議参加者の会話可能言語を使用候補言語群に追加する（Ｓ１１０）。したがって、ユーザは、予め新会議参加者の人物情報を登録しておく必要がある。そうしないと、新会議参加者の会話可能言語を特定できないからである。その後、Ｓ１０３に戻って、上述した図１４のフローチャートの処理に従って、再び、使用言語を決定する。そしてＳ１０４において、再び、使用言語特定情報を各遠隔会議装置２１ａ〜２１ｄに送信する。
【００７３】
Ｓ１０８で、人物ＩＤが送信されてこない場合は（Ｓ１０８：ＮＯ）、遠隔会議が終了したか否かを判定する（Ｓ１０９）。上述したように、遠隔会議装置２１ａ〜２１ｄはネットワーク４０から切断する場合に、切断信号を会議使用言語決定装置１０に送信するので、遠隔会議装置２１ａ〜２１ｄ全てから切断信号が送信されてきたか否かによって、遠隔会議が終了したか否かを判定する。ここで、遠隔会議装置２１ａ〜２１ｄ全てから切断信号が送信されてきた場合は（Ｓ１０９：ＹＥＳ）、このフローチャートの処理を終了する。一方、遠隔会議装置２１ａ〜２１ｄ全てから切断信号が送信されてこない場合は（Ｓ１０９：ＮＯ）、Ｓ１０５へ戻る。すなわち、遠隔会議が終了するまでは、Ｓ１０５〜Ｓ１０８の処理が実行される。したがって、遠隔会議が終了するまでは、切断遠隔会議装置が有った場合（Ｓ１０５：ＹＥＳ）、新接続遠隔会議装置が有った場合（Ｓ１０６：ＹＥＳ）、会議退席者を検出した場合（Ｓ１０７：ＹＥＳ）、及び新会議参加者を検出した場合（Ｓ１０８：ＹＥＳ）は、Ｓ１１０において使用候補言語群が更新される。そして、使用言語が再び決定されて、その使用言語は再び各遠隔会議装置２１ａ〜２１ｄに送信される。
【００７４】
次に、遠隔会議装置２１ａ〜２１ｄのＣＰＵ２０１が実行するメイン処理について図１５のフローチャートを参照して説明する。なお、このメイン処理は一定期間おきに実行される。先ず、信号が入力されたか否かを判定する（Ｓ２０１）。ここで、Ｓ２０１がＹＥＳとなる場合はＳ２０２へ進める一方、ＮＯとなる場合はこのメイン処理を終了する。
【００７５】
信号が入力された場合（Ｓ２０１：ＹＥＳ）、入力された信号の入力内容を判定する（Ｓ２０２）。ここで、入力された信号が、上記接続指示信号又は切断指示信号であると判定した場合は、遠隔会議装置２１ａ〜２１ｄをネットワーク４０に接続する処理である接続処理、又は、遠隔会議装置２１ａ〜２１ｄをネットワーク４０から切断する処理である切断処理を実行する（Ｓ２０３）。なお、上述したように、遠隔会議装置２１ａ〜２１ｄをネットワーク４０に接続する際には、会議使用言語決定装置１０に識別コードを付した接続信号を送信する。また、遠隔会議装置２１ａ〜２１ｄをネットワーク４０から切断する際には、会議使用言語決定装置１０に識別コードを付した切断信号を送信する。
【００７６】
Ｓ２０２で、入力された信号が、会議使用言語決定装置１０から送信された使用言語特定情報であると判定した場合は、表示装置２０８のスクリーンにその使用言語特定情報から特定される使用言語を表示する（Ｓ２０４）。例えば、会議開始直後は、図１６に示すようにスクリーンの中央に大きく「○○語を使用して会議を行います」と表示し、その後は、図１７に示すようにスクリーンの隅に「○○語」と表示する。このように、会議開始直後にスクリーンの中央に使用言語が表示されるので、会議参加者は、その表示を視認することによって、遠隔会議でのどの言語を使用すれば良いのかを容易に把握できる。また、会議中においては、スクリーンの隅に使用言語が表示され続けるので、途中から遠隔会議に参加した人物もその表示を視認することによって、どの言語を使用すれば良いのかを把握できる。さらに、会議中においては、スクリーンの隅に使用言語が表示されるので、他の拠点Ａ〜Ｄの画像などの視認の妨げになることはない。
【００７７】
また、会議使用言語決定装置１０から使用言語特定情報が再度送信されてきたときには、Ｓ２０４では、例えば、その使用言語特定情報から特定される使用言語をスクリーンの中央に大きく「会議での使用言語が△△語に変わりました」と表示する。すなわち、使用言語が変更されたことを強調表示する。したがって、会議使用言語決定装置１０によって新たに使用言語が決定された場合には、会議参加者はスクリーンを視認することによって、使用言語が変更されたことを容易に把握できる。
【００７８】
Ｓ２０２で、入力された信号が、入力装置１０５から入力された会議退席者又は新会議参加者の人物ＩＤであると判定した場合は、その人物ＩＤを会議使用言語決定装置１０に送信する（Ｓ２０５）。これによって、上述したように、会議使用言語決定装置１０は、図１３のＳ１０７で会議退席者を、Ｓ１０８で新会議参加者を検出できる。
【００７９】
Ｓ２０２で、入力された信号が、その他の処理の指示信号であると判定した場合は、その指示信号に応じた処理を実行する（Ｓ２０６）。例えば、表示装置２０８のスクリーンを所望の拠点Ａ〜Ｄの映像に切り替えたりする処理がある。なお、Ｓ２０３〜Ｓ２０６の処理の実行後は、メイン処理を終了する。
【００８０】
以上、本実施形態の遠隔会議システム１では、ユーザは会議使用言語決定装置１０に人物情報及び会議情報を入力できる。人物情報は、人物ＩＤ、氏名及び会話可能言語を有している。会議情報は、会議ＩＤ、会議名、開催日時、会議参加者人物ＩＤ、及び会議参加者人物ＩＤに対応する人物が会議に参加する拠点名を有している。そして、会議使用言語決定装置１０は、遠隔会議が開始されたときに、どの会議が開催されたのかを特定して、特定した会議に参加する会議参加者の会話可能言語を収集して使用言語群を決定する。そして、その使用言語群の中から、遠隔会議での使用言語を決定し、決定した使用言語を特定する使用言語特定情報を各遠隔会議装置２１ａ〜２１ｄに送信する。各遠隔会議装置２１ａ〜２１ｄは、会議使用言語決定装置１０から送信されてきた使用言語特定情報から特定される使用言語をスクリーンに表示する。したがって、会議参加者は、スクリーンに表示された使用言語を視認することによって、遠隔会議でどの言語を使用すれば良いのかを容易に把握できる。
【００８１】
また、会議使用言語決定装置１０は、会議参加者の全員が会話可能な言語を使用言語として決定する。したがって、各会議参加者は、会議使用言語決定装置１０によって決定された使用言語を使用すれば、会議参加者の全員が会議内容を把握できる。なお、会議使用言語決定装置１０は、会議参加者の全員が会話可能な言語が複数ある場合には、ＨＤＤ１０７の公用語テーブル記憶エリア１０７１に記憶されている公用語テーブルを参照して、その複数の言語のうち、最も公用度の高い言語を使用言語として決定する。このように、会議参加者の全員が会話可能な言語が複数ある場合であっても、使用言語を一つに絞ることができるので、遠隔会議をスムーズに進行できる。
【００８２】
また、会議使用言語決定装置１０は、会議参加者の全員が会話可能な言語が無い場合には、使用候補言語群の中で最多数の言語を使用言語として決定する。したがって、各会議参加者は、会議参加者の全員が会話可能な言語が無い場合であっても、会議使用言語決定装置１０によって決定された使用言語を使用すれば、多くの会議参加者が会議内容を把握できる。なお、会議使用言語決定装置１０は、最多数の言語が複数ある場合には、ＨＤＤ１０７の公用語テーブル記憶エリア１０７１に記憶されている公用語テーブルを参照して、その複数の言語のうち、最も公用度の高い言語を使用言語として決定する。このように、最多数の言語が複数ある場合であっても、使用言語を一つに絞ることができるので、遠隔会議をスムーズに進行できる。
【００８３】
また、会議の途中で、切断遠隔会議装置が有った場合には、会議使用言語決定装置１０は、その切断遠隔会議装置を利用して遠隔会議に参加していた会議参加者の会話可能言語を使用候補言語群から除いて、新たに使用言語を決定する。そして、決定した使用言語を特定する使用言語特定情報を各遠隔会議装置２１ａ〜２１ｄに送信する。各遠隔会議装置２１ａ〜２１ｄは、会議使用言語決定装置１０から送信されてきた使用言語特定情報から特定される使用言語をスクリーンの中央に大きく表示して、使用言語が変更されたことを強調する。したがって、会議使用言語決定装置１０によって新たに使用言語が決定された場合には、会議参加者はスクリーンを視認することによって、使用言語が変更されたことを容易に把握できる。
【００８４】
また、会議の途中で、新接続遠隔会議装置が有った場合には、会議使用言語決定装置１０は、その新接続遠隔会議装置を利用して遠隔会議に参加する会議参加者の会話可能言語を使用候補言語群に追加して、新たに使用言語を決定する。そして、決定した使用言語を特定する使用言語特定情報を各遠隔会議装置２１ａ〜２１ｄに送信する。各遠隔会議装置２１ａ〜２１ｄは、会議使用言語決定装置１０から送信されてきた使用言語特定情報から特定される使用言語をスクリーンの中央に大きく表示して、使用言語が変更されたことを強調する。したがって、会議使用言語決定装置１０によって新たに使用言語が決定された場合には、会議参加者はスクリーンを視認することによって、使用言語が変更されたことを容易に把握できる。
【００８５】
また、会議使用言語決定装置１０は、会議退席者を検出した場合には、その会議退席者の会話可能言語を使用候補言語群から除いて、新たに使用言語を決定する。そして、決定した使用言語を特定する使用言語特定情報を各遠隔会議装置２１ａ〜２１ｄに送信する。各遠隔会議装置２１ａ〜２１ｄは、会議使用言語決定装置１０から送信されてきた使用言語特定情報から特定される使用言語をスクリーンの中央に大きく表示して、使用言語が変更されたことを強調する。したがって、会議使用言語決定装置１０によって新たに使用言語が決定された場合には、会議参加者はスクリーンを視認することによって、使用言語が変更されたことを容易に把握できる。
【００８６】
また、会議使用言語決定装置１０は、新会議参加者を検出した場合には、その新会議参加者の会話可能言語を使用候補言語群に追加して、新たに使用言語を決定する。そして、決定した使用言語を特定する使用言語特定情報を各遠隔会議装置２１ａ〜２１ｄに送信する。各遠隔会議装置２１ａ〜２１ｄは、会議使用言語決定装置１０から送信されてきた使用言語特定情報から特定される使用言語をスクリーンの中央に大きく表示して、使用言語が変更されたことを強調する。したがって、会議使用言語決定装置１０によって新たに使用言語が決定された場合には、会議参加者はスクリーンを視認することによって、使用言語が変更されたことを容易に把握できる。
【００８７】
（第２実施形態）
次に、本発明の第２実施形態について図面を参照して説明する。本実施形態の遠隔会議システム１は、図１に示す第１実施形態の遠隔会議システム１と同じ構成である。なお、本実施形態の会議使用言語決定装置１０の機能は、第１実施形態とは異なっている。具体的には、会議使用言語決定装置１０のＣＰＵ１０１が実行する人物・会議情報登録処理及び会議時処理が第１実施形態の処理とは一部異なっている。一方、遠隔会議装置２１ａ〜２１ｄ、及びＭＣＵ３０は第１実施形態と同一のものである。以下、本実施形態について、第１実施形態と異なる部分を中心に説明する。
【００８８】
はじめに、会議使用言語決定装置１０のＣＰＵ１０１（図２参照）が実行する本実施形態の人物・会議情報登録処理について図６のフローチャートを参照して説明する。なお、人物・会議情報登録処理は一定期間おきに実行される。
【００８９】
先ず、ユーザによって人物情報登録画面を起動する指示信号が入力装置１０５から入力されたか否かに基づいて、人物情報登録画面を起動するか否かを判定する（Ｓ１１）。ここで、その指示信号が入力された場合は（Ｓ１１：ＹＥＳ）、Ｓ１２へ移行する。一方、その指示信号が入力されなかった場合は（Ｓ１１：ＮＯ）、人物・会議情報登録処理を終了する。
【００９０】
人物情報登録画面を起動すると判定した場合（Ｓ１１：ＹＥＳ）、図１８に示す人物情報登録画面を表示装置１０４の画面に表示させるとともに、後述するＳ１４の処理によってＨＤＤ１０７の人物情報記憶エリア１０７２に記憶された最新の人物情報の人物ＩＤに対して「１」増加させた人物ＩＤを付与する（Ｓ１２）。
【００９１】
本実施形態の人物情報登録画面は、図１８に示すように第１実施形態の人物情報登録画面（図７）とは一部異なっている。具体的には、会話可能言語の入力領域５６が設けられている。その会話可能言語の入力領域５６には、複数の言語名が表示されており、それぞれの言語名の横には「重み」の入力欄が設けられている。この「重み」は、大きくなるほど会話し易い言語であることを示す数字であり、本実施形態では、１〜３の数字が入力できるようになっている。各重みに意味合いについては、「１」は会話初級レベル、「２」は会話中級レベル、「３」は会話上級レベルとなっているが、ユーザがどのレベルであるのかはユーザの判断による。なお、「重み」が入力されていない言語は、会話することができないことを意味している。また、会話可能言語の入力領域５６の右端にはスクロールバー９４が設けられており、ユーザは入力装置１０５を用いてそのスクロールバー９４を操作することによって、会話可能言語の入力領域５６をスクロールさせて、図１８に表示されている言語名以外の言語名を表示させることができる。そして、ユーザは、入力装置１０５を用いて、各言語の「重み」の入力欄に１〜３の数字を入力することができる。なお、図１８では、英語の「重み」の入力欄に「１」が、日本語の「重み」の入力欄に「３」が入力されているので、「ＡＡＡＡ」さんは、英語は会話初級レベル、日本語は会話上級レベルである。そして、ユーザは、氏名と会話可能言語（重み）を入力した後、入力装置１０５を用いて、登録ボタン９３を操作することによって、人物情報を登録することができる。
【００９２】
次いで、上述した登録ボタン９３が操作されたか否かによって、人物情報が入力されたか否かを判定する（Ｓ１３）。ここで、登録ボタン９３が操作された場合は（Ｓ１３：ＹＥＳ）、Ｓ１４へ移行する。一方、登録ボタン９３が操作されていない場合は（Ｓ１３：ＮＯ）、Ｓ１３に戻る。したがって、人物情報が入力されるまでは、Ｓ１３をループすることになる。
【００９３】
人物情報が入力されたと判定した場合（Ｓ１３：ＹＥＳ）、入力された人物情報をＨＤＤ１０７の人物情報記憶エリア１０７２に記憶する（Ｓ１４）。すなわち、図１９に示すように、人物ＩＤに対応付けて、氏名と会話可能言語及びその「重み」を記憶する。なお、Ｓ１４で記憶する会話可能言語は、本発明の「言語特定情報」に相当する。また、Ｓ１３、Ｓ１４の処理は、本発明の「取得ステップ」に相当し、Ｓ１３、Ｓ１４の処理を実行するＣＰＵ１０１は、本発明の「取得手段」に相当する。続いて、Ｓ１５〜Ｓ１８において、第１実施形態と同じ処理を実行して、人物・会議情報登録処理を終了する。
【００９４】
なお、ユーザは入力装置１０５を用いて、図２０に示すように、Ｓ１４において記憶された人物情報の一覧を示した画面である人物情報一覧画面を表示装置１０４の画面に表示させることができる。同図に示すように、本実施形態の人物情報一覧画面には、人物ＩＤに対応させて、氏名、会話可能言語及びその会話可能言語に対する「重み」が表示されている。よって、ユーザは、人物情報一覧画面を表示させることによって、どの人物がどの言語を会話可能であるのか、さらに会話可能であるならばどの会話レベルなのかを容易に把握することができる。
【００９５】
次に、ＣＰＵ１０１が実行する本実施形態の会議時処理について図１３、図２１のフローチャートを参照して説明する。この会議時処理は、上述した人物・会議情報登録処理によって、会議情報が登録されている状態で、遠隔会議装置２１ａ〜２１ｄから接続信号が送信されてきたときに開始される。
【００９６】
先ず、人物・会議情報登録処理によって登録された会議情報に対応する会議のうち、どの会議が開始されたのかを特定する（Ｓ１０１）。次いで、開催された遠隔会議での使用言語の候補となる言語群である使用候補言語群を決定する（Ｓ１０２）。次いで、ＲＯＭ１０２に記憶されている会議使用言語決定条件に従って、Ｓ１０２において決定した使用候補言語群、又は後述するＳ１１０において更新された使用候補言語群の中から、開催された遠隔会議での使用言語を一つ決定する（Ｓ１０３）。具体的には、図２１のフローチャートの処理に従って決定する。以下、このフローチャートの処理について説明する。なお、第１実施形態と同じ処理には同じ符号を付している。同図に示すように、本実施形態の使用言語決定処理は、第１実施形態の使用言語決定処理（図１４参照）に対して、Ｓ１０３６の処理の前にＳ１０４０の処理が追加されている。
【００９７】
先ず、使用候補言語群の中から遠隔会議に参加している会議参加者の全員が会話可能な言語を探索する（Ｓ１０３１）。次いで、会議参加者の全員が会話可能な言語が有るか否かを判定する（Ｓ１０３２）。ここで、Ｓ１０３２がＹＥＳとなった場合、Ｓ１０３３へ移行する。そして、第１実施形態と同様にＳ１０３３〜Ｓ１０３５の処理を実行して使用言語を決定する。
【００９８】
一方、Ｓ１０３２で、会議参加者の全員が会話可能な言語が無いと判定した場合は（Ｓ１０３２：ＮＯ）、使用候補言語群に含まれている各会話可能言語の個数に対して、会話可能言語に付されている「重み」が大きくなるほどその会話可能言語の個数が増加する処理である重み付け処理を実行する（Ｓ１０４０）。具体的には、各会話可能言語に対応する「重み」をＨＤＤ１０７に記憶されている人物情報から読み出す。そして、同じ言語において、「重み」の和を計算し、その「重み」の和を会話可能言語の個数とする。例えば、使用候補言語群に日本語が２つ含まれていたとして、一方の日本語の「重み」が「３」で、他方の日本語の「重み」が「２」とすると、これらの「重み」の和を計算する。この場合、「３」＋「２」＝「５」となる。したがって、日本語の個数は「５」となる。その後、第１実施形態と同様に、Ｓ１０３７〜Ｓ１０３９の処理を実行して、使用候補言語群の中に最も多く含まれている会話可能言語を使用言語として決定する。
【００９９】
なお、図１３のＳ１０３（図２１のフローチャート）の処理は、本発明の「決定ステップ」に相当する。また、Ｓ１０３（図２１のフローチャート）の処理を実行するＣＰＵ１０１は、本発明の「決定手段」に相当する。
【０１００】
説明を図１３のフローチャートの処理に戻り、Ｓ１０３で決定した使用言語を特定する情報である使用言語特定情報を各遠隔会議装置２１ａ〜２１ｄに送信する（Ｓ１０４）。その後、遠隔会議が終了するまで、第１実施形態と同様に、Ｓ１０５〜Ｓ１１０の処理を実行する。
【０１０１】
なお、遠隔会議装置２１ａ〜２１ｄの動作については、第１実施形態と同じなので説明を省略する。
【０１０２】
以上、本実施形態の遠隔会議システム１では、第１実施形態と同様に、ユーザは会議使用言語決定装置１０に人物情報及び会議情報を入力できる。ここで、ユーザは人物情報を入力する際、会話可能言語に「重み」を入力することができる。ここで入力した「重み」は、遠隔会議での使用言語を決定する際に用いられる。具体的には、図２１のＳ１０４０において、各会話可能言語に対応する「重み」をＨＤＤ１０７の人物情報記憶エリア１０７２に記憶されている人物情報から読み出す。そして、同じ言語において、「重み」の和を計算し、その「重み」の和を会話可能言語の個数とする。そして、使用候補言語群の中に最も多く含まれている会話可能言語が使用言語として決定される。したがって、使用候補言語群の中に会議参加者の全員が会話可能な言語が無い場合には、「重み」が大きな会話可能言語が使用言語として決定されやすくなる。換言すれば、重みが大きい会話可能言語ほど、使用言語として決定される確率が高くなるので、重みが大きい会話可能言語が決定された会議参加者にとっては、会議に参加しやすくなる。なお、本実施形態では入力可能な「重み」を１〜３であったが、「３」以上の重みを入力できるようにしてもよい。
【０１０３】
（第３実施形態）
次に、本発明の第３実施形態について図面を参照して説明する。本実施形態の遠隔会議システム１は、図１に示す第１、第２実施形態の遠隔会議システム１と同じ構成である。なお、本実施形態の会議使用言語決定装置１０の機能は、第１、第２実施形態とは異なっている。具体的には、会議使用言語決定装置１０のＣＰＵ１０１が実行する人物・会議情報登録処理及び会議時処理が第１、第２実施形態の処理とは異なっている。一方、遠隔会議装置２１ａ〜２１ｄ、及びＭＣＵ３０は第１、第２実施形態と同一のものである。以下、本実施形態について、第１、第２実施形態と異なる部分を中心に説明する。
【０１０４】
はじめに、会議使用言語決定装置１０のＣＰＵ１０１（図２参照）が実行する本実施形態の人物・会議情報登録処理について図６のフローチャートを参照して説明する。なお、人物・会議情報登録処理は一定期間おきに実行される。
【０１０５】
先ず、ユーザによって人物情報登録画面を起動する指示信号が入力装置１０５から入力されたか否かに基づいて、人物情報登録画面を起動するか否かを判定する（Ｓ１１）。ここで、その指示信号が入力された場合は（Ｓ１１：ＹＥＳ）、Ｓ１２へ移行する。一方、その指示信号が入力されなかった場合は（Ｓ１１：ＮＯ）、人物・会議情報登録処理を終了する。
【０１０６】
人物情報登録画面を起動すると判定した場合（Ｓ１１：ＹＥＳ）、図２２に示す人物情報登録画面を表示装置１０４の画面に表示させるとともに、後述するＳ１４の処理によってＨＤＤ１０７の人物情報記憶エリア１０７２に記憶された最新の人物情報の人物ＩＤに対して「１」増加させた人物ＩＤを付与する（Ｓ１２）。
【０１０７】
さらに、人物情報登録画面には、図２２に示すように会話可能言語の入力領域５７が設けられている。その会話可能言語の入力領域５７には、複数の言語名が表示されており、それぞれの言語名の横には「優先順位」の入力欄が設けられている。この「優先順位」は、高くなるほど会話し易い言語であることを示す数字であり、本実施形態では、１、２、３の数字をそれぞれ１つ入力できるようになっている。すなわち、ユーザは、会話し易い言語の上位３つまでを選択することができる。また、会話可能言語の入力領域５７の右端にはスクロールバー９１が設けられており、ユーザは入力装置１０５を用いてそのスクロールバー９１を操作することによって、会話可能言語の入力領域５７をスクロールさせて、図２２に表示されている言語名以外の言語名を表示させることができる。そして、ユーザは、入力装置１０５を用いて、各言語の「優先順位」の入力欄に１〜３の数字を入力することができる。なお、図２２では、日本語の「優先順位」の入力欄に「１」が、英語の「優先順位」の入力欄に「２」が、中国語の「優先順位」の入力欄に「３」が入力されているので、「ＡＡＡＡ」さんは、日本語が最も会話し易く、英語は日本語の次に会話し易く、中国語は日本語の次に会話し易いことになる。そして、ユーザは、氏名と会話可能言語（優先順位）を入力した後、入力装置１０５を用いて、登録ボタン９０を操作することによって、人物情報を登録することができる。
【０１０８】
次いで、上述した登録ボタン９０が操作されたか否かによって、人物情報が入力されたか否かを判定する（Ｓ１３）。登録ボタン９０が操作された場合は（Ｓ１３：ＹＥＳ）、Ｓ１４へ移行する。一方、登録ボタン９０が操作されていない場合は（Ｓ１３：ＮＯ）、Ｓ１３に戻る。したがって、人物情報が入力されるまでは、Ｓ１３をループすることになる。
【０１０９】
人物情報が入力されたと判定した場合（Ｓ１３：ＹＥＳ）、入力された人物情報をＨＤＤ１０７の人物情報記憶エリア１０７２に記憶する（Ｓ１４）。すなわち、図２３に示すように、人物ＩＤに対応付けて、氏名と会話可能言語及びその「優先順位」を記憶する。なお、Ｓ１４で記憶する会話可能言語は、本発明の「言語特定情報」に相当する。また、Ｓ１３、Ｓ１４の処理は、本発明の「取得ステップ」に相当し、Ｓ１３、Ｓ１４の処理を実行するＣＰＵ１０１は、本発明の「取得手段」に相当する。
【０１１０】
なお、ユーザは入力装置１０５を用いて、図２４に示すように、Ｓ１４において記憶された人物情報の一覧を示した画面である人物情報一覧画面を表示装置１０４の画面に表示させることができる。同図に示すように、本実施形態の人物情報一覧画面には、人物ＩＤに対応させて、氏名、会話可能言語及びその会話可能言語に対する「優先順位」が表示されている。よって、ユーザは、人物情報一覧画面を表示させることによって、どの人物がどの言語を会話可能であるのか、さらに会話可能な言語が複数あるならばそれらのうち、会話し易い言語がどれなのかを容易に把握することができる。
【０１１１】
続いて、Ｓ１５〜Ｓ１８において、第１、第２実施形態と同じ処理を実行して、人物・会議情報登録処理を終了する。なお、ユーザは入力装置１０５を用いて、図１２に示すように、Ｓ１８において記憶された会議情報の一覧を示した画面である会議情報一覧画面を表示装置１０４の画面に表示させることによって、どの会議がどの日時で開催されるのかを把握することができる。さらに、ユーザは入力装置１０５を用いて、図２５に示すように、各会議に参加する会議参加者の一覧を示した画面である会議参加者一覧画面を表示装置１０４の画面に表示させることができる。図２５では、会議ＩＤ「２」、会議名「仕様決定会議」の会議参加者の一覧が表示されている。この会議には、人物ＩＤが「１」、「２」、「５」、「６」の人物が参加することになる。ユーザは、図２５に示す画面により、各会議参加者の会話可能言語の優先順位についても把握することができる。
【０１１２】
次に、ＣＰＵ１０１が実行する本実施形態の会議時処理について、図１３、図２６のフローチャートを参照して説明する。この会議時処理は、上述した人物・会議情報登録処理によって、会議情報がＨＤＤ１０７の会議情報記憶エリア１０７３に記憶されている状態で、遠隔会議装置２１ａ〜２１ｄから接続信号が送信されてきたときに開始される。以下、本実施形態の会議時処理について、説明の便宜のため、図２５に示す会議が開催されたとして説明する。すなわち、会議ＩＤ「２」、会議名「仕様決定会議」、人物ＩＤが「１」、「２」、「５」、「６」の人物が参加する会議が開催されたとする。なお、人物ＩＤが「１」の人物は、氏名が「ＡＡＡＡ」で、会話可能言語が「日本語（優先順位１）」、「英語（優先順位２）」、「中国語（優先順位３）」である。また、人物ＩＤが「２」の人物は、氏名が「ＢＢＢＢ」で、会話可能言語が「日本語（優先順位１）」、「スペイン語（優先順位２）」である。また、人物ＩＤが「５」の人物は、氏名が「ＥＥＥＥ」で、会話可能言語が「英語（優先順位１）」、「日本語（優先順位２）」、「スペイン語（優先順位３）」である。また、人物ＩＤが「６」の人物は、氏名が「ＦＦＦＦ」で、会話可能言語が「英語（優先順位１）」である。
【０１１３】
先ず、人物・会議情報登録処理によってＨＤＤ１０７の会議情報記憶エリア１０７３に記憶された会議情報に対応する会議のうち、どの会議が開始されたのかを特定する（Ｓ１０１）。この場合、会議ＩＤ「２」の会議が開始されたと特定される。
【０１１４】
次いで、開催された遠隔会議での使用言語の候補となる言語群である使用候補言語群を決定する（Ｓ１０２）。この場合、使用候補言語群は、「日本語（優先順位１）、日本語（優先順位１）、英語（優先順位１）、英語（優先順位１）、英語（優先順位２）、スペイン語（優先順位２）、日本語（優先順位２）、中国語（優先順位３）、スペイン語（優先順位３）」となる。
【０１１５】
次いで、ＲＯＭ１０２に記憶されている会議使用言語決定条件に従って、Ｓ１０２において決定した使用候補言語群、又は後述するＳ１１０において更新された使用候補言語群の中から、開催された遠隔会議での使用言語を一つ決定する（Ｓ１０３）。具体的には、図２６のフローチャートの処理に従って決定する。以下、このフローチャートの処理について説明する。なお、第１、第２実施形態と同じ処理には同じ符号を付している。
【０１１６】
先ず、使用候補言語群の中から遠隔会議に参加している会議参加者の全員が会話可能な言語を探索する（Ｓ１０３１）。次いで、会議参加者の全員が会話可能な言語が有るか否かを判定する（Ｓ１０３２）。ここで、Ｓ１０３２がＹＥＳとなった場合は、Ｓ１０３３へ移行する。そして、第１、第２実施形態と同様にＳ１０３３〜Ｓ１０３５の処理を実行して使用言語を決定する。
【０１１７】
一方、会議参加者の全員が会話可能な言語が無いと判定した場合（Ｓ１０３２：ＮＯ）、使用候補言語群の、優先順位が最高位の会話可能言語の集まりの中で最も多く含まれている会話可能言語を探索する（Ｓ１０４１）。この場合、日本語と英語の２つの会話可能言語が探索されることになる。
【０１１８】
次いで、Ｓ１０４１又は後述するＳ１０４５において探索した会話可能言語の数が単数か否かを判定する（Ｓ１０４２）。会話可能言語の数が単数の場合は（Ｓ１０４２：ＹＥＳ）Ｓ１０４３へ移行し、会話可能言語の数が複数の場合は（Ｓ１０４２：ＮＯ）Ｓ１０４４へ移行する。この場合、会話可能言語の数は単数でないので、Ｓ１０４４に移行する。
【０１１９】
Ｓ１０４１又は後述するＳ１０４５において探索した会話可能言語の数が単数でない場合（Ｓ１０４２：ＮＯ）、Ｓ１０４１又は後述するＳ１０４５にて探索した優先順位よりも下位に使用候補言語群に含まれている会話可能言語があるか否かを判定する（Ｓ１０４４）。会話可能言語がある場合は（Ｓ１０４４：ＹＥＳ）Ｓ１０４５へ移行し、会話可能言語が無い場合は（Ｓ１０４４：ＮＯ）Ｓ１０４６へ移行する。この場合、使用候補言語群の中に優先順位が「１」よりも下位の会話可能言語が存在するので、Ｓ１０４５に移行する。
【０１２０】
Ｓ１０４１又は後述するＳ１０４５にて探索した優先順位よりも下位に使用候補言語群に含まれている会話可能言語が有る場合（Ｓ１０４４：ＹＥＳ）、Ｓ１０４１又は直前のＳ１０４５にて探索した優先順位の一つ下の優先順位の会話可能言語の集まりの中で最多数の言語を探索する（Ｓ１０４５）。この場合、優先順位が「２」の会話可能言語は、「英語」が一つ、「スペイン語」が一つ、「日本語」が一つなので、優先順位が「２」の会話可能言語の集まりの中で最多数の言語は、「英語」、「スペイン語」、「日本語」の３つである。その後、Ｓ１０４２へ戻る。
【０１２１】
そして、上述したように、Ｓ１０４１又はＳ１０４５において探索した会話可能言語の数が単数か否かを判定する（Ｓ１０４２）。この場合、Ｓ１０４５において探索した結果、「英語」、「スペイン語」、「日本語」の３つとなったので、再度、Ｓ１０４４が実行される。
【０１２２】
そして、上述したように、Ｓ１０４１又はＳ１０４５にて探索した優先順位よりも下位に使用候補言語群に含まれている会話可能言語があるか否かを判定する（Ｓ１０４４）。この場合、優先順位が「３」の会話可能言語があるので、再度、Ｓ１０４５が実行される。
【０１２３】
そして、上述したように、Ｓ１０４１又は直前のＳ１０４５にて探索した優先順位の一つ下の優先順位の会話可能言語の集まりの中で最多数の言語を探索する（Ｓ１０４５）。この場合、優先順位が「３」の会話可能言語は、「中国語」が一つ、「スペイン語」が一つなので、優先順位が「３」の会話可能言語の集まりの中で最多数の言語は、「中国語」と「スペイン語」の２つである。したがって、Ｓ１０４２がＮＯとなる。そして、優先順位が「３」が最下位なので、Ｓ１０４４がＮＯとなる。
【０１２４】
そして、優先順位が最高位の最多数の言語のうち、ＨＤＤ１０７の公用語テーブル記憶エリア１０７１に記憶されている公用語テーブル（図４参照）を参照して、公用度が最も高い言語を使用言語として決定する（Ｓ１０４６）。この場合、優先順位が最高位の最多数の言語は、「日本語」と「英語」なので、公用度が高い「英語」が使用言語として決定される。その後、このフローチャートの処理を終了する。
【０１２５】
一方、Ｓ１０４２で、Ｓ１０４１又はＳ１０４５において探索した会話可能言語の数が単数であると判定した場合には、最多数の言語を使用言語として決定する（Ｓ１０４３）。その後、このフローチャートの処理を終了する。
【０１２６】
なお、図１３のＳ１０３（図２６のフローチャート）の処理は、本発明の「決定ステップ」に相当する。また、Ｓ１０３（図２６のフローチャート）の処理を実行するＣＰＵ１０１は、本発明の「決定手段」に相当する。
【０１２７】
説明を図１３のフローチャートの処理に戻り、Ｓ１０３で決定した使用言語を特定する情報である使用言語特定情報を各遠隔会議装置２１ａ〜２１ｄに送信する（Ｓ１０４）。その後、遠隔会議が終了するまで、第１、第２実施形態と同様に、Ｓ１０５〜Ｓ１１０の処理を実行する。
【０１２８】
なお、遠隔会議装置２１ａ〜２１ｄの動作については、第１、第２実施形態と同じなので説明を省略する。
【０１２９】
以上、本実施形態の遠隔会議システム１では、第１、第２実施形態と同様に、ユーザは会議使用言語決定装置１０に人物情報及び会議情報を入力できる。ここで、ユーザは人物情報を入力する際、会話可能言語に「優先順位」を入力することができる。ここで入力した「優先順位」は、遠隔会議での使用言語を決定する際に用いられる。具体的には、使用候補言語群の、優先順位が最高位の会話可能言語の集まりの中で最も多く含まれている会話可能言語が使用言語として決定される（図２６  Ｓ１０４１→Ｓ１０４２：ＹＥＳ→Ｓ１０４３）。また、その最も多く含まれている会話可能言語が複数ある場合は、下位の同じ優先順位に属している会話可能言語の集まりの中で最も多く含まれている会話可能言語が使用言語として決定される（図２６  Ｓ１０４２：ＮＯ→Ｓ１０４５又はＳ１０４６）。すなわち、優先順位が高いものから順番に会話可能言語が決定されることになるので、決定された使用言語で会議を進行すれば、会議に参加しやすい会議参加者が多くなる。なお、本実施形態では入力可能な「優先順位」は３つまでであったが、それ以上の「優先順位」を入力できるようにしてもよい。
【０１３０】
（第４実施形態）
次に、本発明の第４実施形態について図面を参照して説明する。本実施形態の遠隔会議システム１は、図１に示す第１〜第３実施形態の遠隔会議システム１と同じ構成である。ここで、本実施形態の会議使用言語決定装置１０は、ＨＤＤ１０７に記憶される情報が第１〜第３実施形態とは異なっている。また、その機能は、第１〜第３実施形態とは異なっている。具体的には、会議使用言語決定装置１０のＣＰＵ１０１が実行する会議時処理が第１〜第３実施形態の処理とは異なっている。なお、第１〜第３実施形態で示した人物・会議情報登録処理は実行されない。一方、遠隔会議装置２１ａ〜２１ｄは、ＣＰＵ２０１が実行する処理とＨＤＤ２１１に記憶される情報が第１〜第３実施形態とは異なっている。また、遠隔会議装置２１ａは「アメリカ」に、遠隔会議装置２１ｂは「日本」に、遠隔会議装置２１ｃは「イギリス」に、遠隔会議装置２１ｄは「フランス」に設置されている。以下、本実施形態について、第１〜第３実施形態と異なる部分を中心に説明する。
【０１３１】
はじめに、会議使用言語決定装置１０の構成について、図２及び図２７を用いて、第１〜第３実施形態と異なる部分を中心に説明する。図２は会議使用言語決定装置１０の概略構成を示したブロック図である。同図に示すＨＤＤ１０７は、周知のハードディスクであり、種々のデータを記憶する。図２７は、本実施形態のＨＤＤ１０７の記憶エリアを示す概念図である。同図に示すように、ＨＤＤ１０７の記憶エリアは、上記実施形態と同じ公用語テーブル（図４参照）を記憶する公用語テーブル記憶エリア１１６１、後述する地域別公用語テーブルを記憶する地域別公用語テーブル記憶エリア１１６２、ＩＰアドレス地域別対応テーブルを記憶するＩＰアドレス地域別対応テーブル記憶エリア１１６３が設けられている。
【０１３２】
ここで、地域別公用語テーブルは、図２８に示すように、複数の地域と、それらの地域の公用語とを対応させたテーブルであり、ＣＰＵ１０１が会議時処理を実行する際に参照される。同図に示すように、例えば、地域「アメリカ」と公用語「英語」が対応されている。また、ＩＰアドレス地域別対応テーブルは、図２９に示すように、ＩＰアドレスと、各ＩＰアドレスが付与されているコンピュータが設置されている地域とを対応させたテーブルであり、ＣＰＵ１０１が会議時処理を実行する際に参照される。同図に示すように、例えば、「２１６．０．０．０／８」の範囲のＩＰアドレスが付与されているコンピュータは、地域「アメリカ」に設置されていることになる。
【０１３３】
なお、会議使用言語決定装置１０のＨＤＤ１０７以外の構成については、第１〜第３実施形態と同じなので説明を省略する。
【０１３４】
次に、図１に示す遠隔会議装置２１ａ〜２１ｄの構成について説明する。図５は、本実施形態の遠隔会議装置２１ａ〜２１ｄの概略構成を示したブロック図である。図５に示す本実施形態のＨＤＤ２１１には、通信装置２０４がネットワーク４０を介して他のコンピュータと通信をするためのＩＰアドレスが記憶されている。このＩＰアドレスは、通信装置２０４がネットワーク４０に接続されたときに、ＣＰＵ２０１によって読み出されて、会議使用言語決定装置１０に送信される。なお、ＨＤＤ２１１に記憶されているＩＰアドレスは、本発明の「各遠隔会議装置に予め設定されている情報」に相当する。なお、ＨＤＤ２１１以外の構成については、第１〜第３実施形態と同じなので説明を省略する。
【０１３５】
続いて、ＣＰＵ１０１が実行する本実施形態の会議時処理について、図３０、図３１のフローチャートを参照して説明する。なお、第１〜第３実施形態と同じ処理には同じ符号を付している。また、この会議時処理は、遠隔会議装置２１ａ〜２１ｄから上記接続信号が送信されてきたときに開始される。
【０１３６】
先ず、遠隔会議装置２１ａ〜２１ｄから送信されてくるＩＰアドレスを受信して、ＲＡＭ１０３に記憶する（Ｓ１１３）。なお、Ｓ１１３は、本発明の「取得ステップ」に相当する。また、Ｓ１１３を実行するＣＰＵ１０１は、本発明の「取得手段」に相当する。
【０１３７】
次いで、開催された遠隔会議での使用言語の候補となる言語群である使用候補言語群を決定する（Ｓ１１４）。具体的には、Ｓ１１３にて受信した各遠隔会議装置２１ａ〜２１ｄのＩＰアドレスをＲＡＭ１０３から読み出す。そして、ＨＤＤ１０７のＩＰアドレス地域別対応テーブル記憶エリア１１６３に記憶されているＩＰアドレス地域別対応テーブル（図２９参照）を参照して、各遠隔会議装置２１ａ〜２１ｄのＩＰアドレスから各遠隔会議装置２１ａ〜２１ｄがどの地域に設置されているかを特定する。本実施形態の場合、遠隔会議装置２１ａは「アメリカ」、遠隔会議装置２１ｂは「日本」、遠隔会議装置２１ｃは「イギリス」、遠隔会議装置２１ｄは「フランス」と特定される。その後、ＨＤＤ１０７の地域別公用語テーブル記憶エリア１１６２に記憶されている地域別公用語テーブル（図２８参照）を参照して、各遠隔会議装置２１ａ〜２１ｄが設置されている地域の公用語を特定する。本実施形態の場合、遠隔会議装置２１ａが設置されている地域（アメリカ）の公用語は「英語」に、遠隔会議装置２１ｂが設置されている地域（日本）の公用語は「日本語」に、遠隔会議装置２１ｃが設置されている地域（イギリス）の公用語は「英語」に、遠隔会議装置２１ｄが設置されている地域（フランス）の公用語は「フランス語」に特定される。そして、特定した公用語からなる集まりを使用候補言語群とする。本実施形態、使用候補言語群は、「英語」、「日本語」、「英語」、「フランス語」となる。
【０１３８】
次いで、ＲＯＭ１０２に記憶されている会議使用言語決定条件に従って、Ｓ１１４において決定した使用候補言語群、又は後述するＳ１１６において更新された使用候補言語群の中から、開催された遠隔会議での使用言語を一つ決定する（Ｓ１１５）。具体的には、図３１のフローチャートの処理に従って決定する。以下、このフローチャートの処理について説明する。
【０１３９】
先ず、使用候補言語群の中に最も多く含まれている地域別公用語を探索する（Ｓ１１５１）。本実施形態の場合、「英語」が使用候補言語群の中に最も多く含まれている地域別公用語となる。
【０１４０】
次いで、Ｓ１１５１の結果、使用候補言語群の中に最も多く含まれている地域別公用語の数が単数か否かを判定する（Ｓ１１５２）。地域別公用語の数が単数の場合は（Ｓ１１５２：ＹＥＳ）、処理はＳ１１５３へ移行する。本実施形態の場合、地域別公用語の数が単数（「英語」）なので、処理はＳ１１５３に移行する。そして、使用候補言語群の中に最も多く含まれている地域別公用語を使用言語として決定する（Ｓ１１５３）。本実施形態の場合、「英語」が使用言語として決定される。一方、Ｓ１１５２で、使用候補言語群の中に最も多く含まれている地域別公用語の数が複数の場合、Ｓ１１５４へ移行する。そして、使用候補言語群の中に最も多く含まれている地域別公用語のうち、ＨＤＤ１０７の公用語テーブル記憶エリア１１６１に記憶されている公用語テーブル（図４参照）を参照して、最も公用度の高い言語を使用言語として決定する（Ｓ１１５４）。Ｓ１１５３又はＳ１１５４の実行後、この使用言語決定処理を終了する。なお、図３０のＳ１１５（図３１のフローチャート）の処理は、本発明の「決定ステップ」に相当する。また、図３０のＳ１１５（図３１のフローチャート）の処理を実行するＣＰＵ１０１は、本発明の「決定手段」に相当する。
【０１４１】
説明を図３０のフローチャートの処理に戻り、Ｓ１１５で決定した使用言語を特定する情報である使用言語特定情報を各遠隔会議装置２１ａ〜２１ｄに送信する（Ｓ１０４）。
【０１４２】
次いで、第１〜第３実施形態と同様に、切断遠隔会議装置があるか否かを判定する（Ｓ１０５）。ここで、切断遠隔会議装置があると判定した場合は（Ｓ１０５：ＹＥＳ）、使用候補言語群の中からその切断遠隔会議装置に対応する地域別公用語を除いて、使用候補言語群を更新する（Ｓ１１６）。その後、Ｓ１１５に戻って、更新した使用候補言語群の中から、使用言語を再び決定する。そして、その再び決定した使用言語を特定する情報である使用言語特定情報を各遠隔会議装置２１ａ〜２１ｄに送信する（Ｓ１０４）。
【０１４３】
一方、Ｓ１０５で切断遠隔会議装置が無いと判定した場合は、第１〜第３実施形態と同様に、新接続遠隔会議装置があるか否かを判定する（Ｓ１０６）。新接続遠隔会議装置があると判定した場合は（Ｓ１０６：ＹＥＳ）使用候補言語群にその新接続遠隔会議装置に対応する地域別公用語を追加して、使用候補言語群を更新する（Ｓ１１６）。なお、新接続遠隔会議装置に対応する地域別公用語は、Ｓ１１４と同様に、新接続遠隔会議装置から送信されてくるＩＰアドレスから特定する。その後、Ｓ１１５に戻って、更新した使用候補言語群の中から、使用言語を再び決定する。そして、その再び決定した使用言語を特定する情報である使用言語特定情報を各遠隔会議装置２１ａ〜２１ｄに送信する（Ｓ１０４）。
【０１４４】
なお、第１〜第３実施形態では、会議退席者、又は新会議参加者を検出した場合には（図１３のＳ１０７又はＳ１０８）、使用候補言語群を更新していた（図１３のＳ１１０）。しかし、本実施形態では、ＣＰＵ１０１は、第１〜第３実施形態のように人物・会議情報登録処理を実行せず、会議退席者、又は新会議参加者を検出したとしても、その人物の会話可能言語を特定できないためにＳ１０７又はＳ１０８に相当する処理は実行しない。
【０１４５】
一方、Ｓ１０６で新接続遠隔会議装置が無いと判定した場合、第１〜第３実施形態と同様に、遠隔会議が終了したか否かを判定する（Ｓ１０９）。ここで、遠隔会議が終了したと判定した場合（Ｓ１０９：ＹＥＳ）この会議時処理を終了し、遠隔会議が終了していないと判定した場合（Ｓ１０９：ＮＯ）Ｓ１０５へ戻る。
【０１４６】
次に、遠隔会議装置２１ａ〜２１ｄのＣＰＵ２０１が実行する本実施形態のメイン処理について図３２のフローチャートを参照して説明する。なお、このメイン処理は一定期間おきに実行される。また、第１〜第３実施形態と同じ処理は同じ符号を付している。先ず、信号が入力されたか否かを判定する（Ｓ２０１）。信号が入力された場合（Ｓ２０１：ＹＥＳ）、処理をステップＳ２０２へ移行し、信号が入力されていないと判定した場合（Ｓ２０１：ＮＯ）、このメイン処理を終了する。
【０１４７】
信号が入力されたと判定した場合（Ｓ２０１：ＹＥＳ）、入力された信号の入力内容を判定する（Ｓ２０２）。ここで、入力された信号が、上記接続指示信号又は切断指示信号であると判定した場合は、遠隔会議装置２１ａ〜２１ｄをネットワーク４０に接続する処理である接続処理、又は、遠隔会議装置２１ａ〜２１ｄをネットワーク４０から切断する処理である切断処理を実行する（Ｓ２０３）。
【０１４８】
その後、ＨＤＤ２１１に記憶されているＩＰアドレスを会議使用言語決定装置１０に送信する（Ｓ２０７）。これにより、上述したように、会議使用言語決定装置１０は、各遠隔会議装置２１ａ〜２１ｄに対応する地域別公用語を特定できる。
【０１４９】
Ｓ２０２で、入力された信号が、会議使用言語決定装置１０から送信された使用言語特定情報であると判定した場合は、表示装置２０８のスクリーンにその使用言語特定情報から特定される使用言語を表示する（Ｓ２０４）。また、Ｓ２０２で、入力された信号が、その他の処理の指示信号であると判定した場合は、その指示信号に応じた処理を実行する（Ｓ２０６）。なお、Ｓ２０４、Ｓ２０６、Ｓ２０７の処理の実行後は、メイン処理を終了する。
【０１５０】
以上、本実施形態の遠隔会議システム１では、会議使用言語決定装置１０は、地域別公用語テーブル（図２８参照）をＨＤＤ１０７の地域別公用語テーブル記憶エリア１１６２に、及びＩＰアドレス地域別対応テーブル（図２９参照）をＨＤＤ１０７のＩＰアドレス地域別対応テーブル記憶エリア１１６３に記憶している。また、各遠隔会議装置２１ａ〜２１ｄは、ネットワーク４０に接続する際に、ＨＤＤ２１１に記憶されているＩＰアドレスを会議使用言語決定装置１０に送信する。そして、会議使用言語決定装置１０は、そのＩＰアドレスから、ＨＤＤ１０７の地域別公用語テーブル記憶エリア１１６２に記憶されている地域別公用語テーブル、及びＩＰアドレス地域別対応テーブル記憶エリア１１６３に記憶されているＩＰアドレス地域別対応テーブルを参照して、各遠隔会議装置２１ａ〜２１ｄが設置されている地域を特定して、その地域の公用語である地域別公用語を特定する（図３０  Ｓ１１４）。そして、会議使用言語決定装置１０は、特定した地域別公用語の集まりを使用候補言語群として、その使用候補言語群の中に最も多く含まれている地域別公用語を遠隔会議での使用言語として決定する（図３０  Ｓ１１５）。このように、地域別公用語から使用言語を特定しているのは、例えば、「アメリカ」に設置された遠隔会議装置２１ａを利用して遠隔会議に参加する会議参加者の多くは、「アメリカ」の公用語である「英語」を会話可能であると考えられるためである。したがって、各会議参加者は、会議使用言語決定装置１０によって決定された使用言語を使用すれば、多くの会議参加者が会議内容を把握できる。なお、会議使用言語決定装置１０は、最多数の言語が複数ある場合には、ＨＤＤ１０７の公用語テーブル記憶エリア１１６１に記憶されている公用語テーブルを参照して、その複数の言語のうち、最も公用度の高い言語を使用言語として決定する。このように、最多数の言語が複数ある場合であっても、使用言語を一つに絞ることができるので、遠隔会議をスムーズに進行できる。
【０１５１】
また、本実施形態では、第１〜第３実施形態のように、ユーザは遠隔会議の事前に人物情報及び会議情報を登録しておく必要がないので、ユーザの手間を省くことができる。
【０１５２】
なお、本実施形態では、会議使用言語決定装置１０は、遠隔会議装置２１ａ〜２１ｄのＩＰアドレスから、遠隔会議装置２１ａ〜２１ｄが設置されている地域を特定し、その特定した地域から地域別公用語を特定していた。しかし、これに限定されず、例えば、遠隔会議装置２１ａ〜２１ｄは、予め設定されている情報であって、自身が設置されている地域を示す地域情報を会議使用言語決定装置１０に送信して、会議使用言語決定装置１０は、その地域情報から遠隔会議装置２１ａ〜２１ｄに対応する地域別公用語を特定してもよい。
【０１５３】
（第５実施形態）
次に、本発明の第５実施形態について図面を参照して説明する。本実施形態の遠隔会議システム１は、図１に示す第１〜第４実施形態の遠隔会議システム１と同じ構成である。ここで、本実施形態の会議使用言語決定装置１０の機能は、第１〜第４実施形態とは異なっている。具体的には、会議使用言語決定装置１０のＣＰＵ１０１が実行する会議時処理が第１〜第４実施形態の処理とは異なっている。なお、第１〜第３実施形態で示した人物・会議情報登録処理は実行されない。一方、遠隔会議装置２１ａ〜２１ｄは、ＣＰＵ２０１が実行する処理とＨＤＤ２１１に記憶される情報が第１〜第４実施形態とは異なっている。以下、本実施形態について、第１〜第４実施形態と異なる部分を中心に説明する。
【０１５４】
会議使用言語決定装置１０の構成（図２参照）は、第１実施形態と同じなので説明を省略する。
【０１５５】
先ず、図１に示す遠隔会議装置２１ａ〜２１ｄの構成について説明する。図５は、遠隔会議装置２１ａ〜２１ｄの概略構成を示したブロック図である。本実施形態のＨＤＤ２１１には、会議参加者が、図５に示す入力装置２０５を用いて入力した会話可能言語が記憶されている。例えば、入力装置２０５には、言語ごとにスイッチが設けられており、会議参加者は自身の会話可能言語に対応するスイッチを操作することによって、自身の会話可能言語を入力できる。また、複数の会話可能言語を入力することもできる。そして、入力装置２０５によって入力された会話可能言語はＨＤＤ２１１に記憶される。なお、ＨＤＤ２１１に記憶されている会話可能言語は、遠隔会議装置２１ａ〜２１ｄがネットワークに接続されたときに、会議使用言語決定装置１０に送信される。
【０１５６】
ＲＡＭ２０３、通信装置２０４、カメラ２０６、マイク２０７、表示装置２０８、及びスピーカ２０９は、第１〜第４実施形態と同じなので説明を省略する。
【０１５７】
続いて、ＣＰＵ１０１が実行する本実施形態の会議時処理について、図３３のフローチャートを参照して説明する。なお、第１〜第４実施形態と同じ処理には同じ符号を付している。また、この会議時処理は、遠隔会議装置２１ａ〜２１ｄから上記接続信号が送信されてきたときに開始される。
【０１５８】
先ず、遠隔会議装置２１ａ〜２１ｄから送信されてくる会話可能言語を受信して、ＲＡＭ１０３に記憶する（Ｓ１１７）。なお、Ｓ１１７は、本発明の「取得ステップ」に相当する。また、Ｓ１１７を実行するＣＰＵ１０１は、本発明の「取得手段」に相当する。
【０１５９】
次いで、開催された遠隔会議での使用言語の候補となる言語群である使用候補言語群を決定する（Ｓ１１８）。具体的には、Ｓ１１７にて受信した会話可能言語をＲＡＭ１０３から読み出して、その読み出した会話可能言語の集まりを使用候補言語群とする。
【０１６０】
次いで、ＲＯＭ１０２に記憶されている会議使用言語決定条件に従って、Ｓ１１８において決定した使用候補言語群、又は後述するＳ１２０において更新された使用候補言語群の中から、開催された遠隔会議での使用言語を一つ決定する（Ｓ１１９）。具体的には、第４実施形態の図３１のフローチャートの処理に従って決定する。以下、このフローチャートの処理について説明する
【０１６１】
先ず、使用候補言語群の中に最も多く含まれている会話可能言語を探索する（Ｓ１１５１）。次いで、Ｓ１１５１の結果、使用候補言語群の中に最も多く含まれている会話可能言語の数が単数か否かを判定する（Ｓ１１５２）。会話可能言語の数が単数の場合（Ｓ１１５２：ＹＥＳ）、使用候補言語群の中に最も多く含まれている会話可能言語を使用言語として決定する（Ｓ１１５３）。一方、Ｓ１１５２で使用候補言語群の中に最も多く含まれている会話可能言語の数が複数の場合、Ｓ１１５４へ移行する。そして、使用候補言語群の中に最も多く含まれている会話可能言語のうち、ＨＤＤ１０７の公用語テーブル記憶エリア１０７１に記憶されている公用語テーブル（図４参照）を参照して、最も公用度の高い言語を使用言語として決定する（Ｓ１１５４）。Ｓ１１５３又はＳ１１５４の実行後、この使用言語決定処理を終了する。なお、図３３のＳ１１９（図３１のフローチャート）の処理は、本発明の「決定ステップ」に相当する。また、図３３のＳ１１９（図３１のフローチャート）の処理を実行するＣＰＵ１０１は、本発明の「決定手段」に相当する。
【０１６２】
説明を図３３のフローチャートの処理に戻り、Ｓ１１９で決定した使用言語を特定する情報である使用言語特定情報を各遠隔会議装置２１ａ〜２１ｄに送信する（Ｓ１０４）。
【０１６３】
次いで、第１〜第４実施形態と同様に、切断遠隔会議装置があるか否かを判定する（Ｓ１０５）。切断遠隔会議装置があると判定した場合（Ｓ１０５：ＹＥＳ）、使用候補言語群の中からその切断遠隔会議装置から送信されてきた会話可能言語を除いて、使用候補言語群を更新する（Ｓ１２０）。その後、Ｓ１１９に戻って、更新した使用候補言語群の中から、使用言語を再び決定する。そして、その再び決定した使用言語を特定する情報である使用言語特定情報を各遠隔会議装置２１ａ〜２１ｄに送信する（Ｓ１０４）。
【０１６４】
一方、Ｓ１０５で切断遠隔会議装置が無いと判定した場合、第１〜第４実施形態と同様に、新接続遠隔会議装置があるか否かを判定する（Ｓ１０６）。新接続遠隔会議装置があると判定した場合（Ｓ１０６：ＹＥＳ）、使用候補言語群にその新接続遠隔会議装置から送信されてきた会話可能言語を追加して、使用候補言語群を更新する（Ｓ１２０）。その後、Ｓ１１９に戻って、更新した使用候補言語群の中から、使用言語を再び決定する。そして、その再び決定した使用言語を特定する情報である使用言語特定情報を各遠隔会議装置２１ａ〜２１ｄに送信する（Ｓ１０４）。
【０１６５】
一方、Ｓ１０６で新接続遠隔会議装置が無いと判定した場合、第１〜第４実施形態と同様に、遠隔会議が終了したか否かを判定する（Ｓ１０９）。遠隔会議が終了したと判定した場合（Ｓ１０９：ＹＥＳ）、この会議時処理を終了し、遠隔会議が終了していないと判定した場合（Ｓ１０９：ＮＯ）Ｓ１０５へ戻る。
【０１６６】
次に、遠隔会議装置２１ａ〜２１ｄのＣＰＵ２０１が実行する本実施形態のメイン処理について図３４のフローチャートを参照して説明する。なお、このメイン処理は一定期間おきに実行される。また、第１〜第４実施形態と同じ処理は同じ符号を付している。先ず、信号が入力されたか否かを判定する（Ｓ２０１）。ここで、信号が入力されたと判定した場合（Ｓ２０１：ＹＥＳ）Ｓ２０２へ移行し、信号が入力されていないと判定した場合（Ｓ２０１：ＮＯ）このメイン処理を終了する。
【０１６７】
Ｓ２０１で、信号が入力されたと判定した場合、入力された信号の入力内容を判定する（Ｓ２０２）。ここで、入力された信号が、上記接続指示信号又は切断指示信号であると判定した場合は、遠隔会議装置２１ａ〜２１ｄをネットワーク４０に接続する処理である接続処理、又は、遠隔会議装置２１ａ〜２１ｄをネットワーク４０から切断する処理である切断処理を実行する（Ｓ２０３）。
【０１６８】
その後、ＨＤＤ２１１に記憶されている会話可能言語を会議使用言語決定装置１０に送信する（Ｓ２０８）。これにより、上述したように、会議使用言語決定装置１０は、遠隔会議での使用言語を決定できる。
【０１６９】
また、Ｓ２０２で、入力された信号が、会話可能言語であると判定した場合は、その会話可能言語をＨＤＤ２１１に記憶する（Ｓ２０９）。なお、ここで記憶された会話可能言語は、上述のＳ２０８において、会議使用言語決定装置１０に送信される。
【０１７０】
また、Ｓ２０２で、入力された信号が、会議使用言語決定装置１０から送信された使用言語特定情報であると判定した場合は、表示装置２０８のスクリーンにその使用言語特定情報から特定される使用言語を表示する（Ｓ２０４）。また、Ｓ２０２で、入力された信号が、その他の処理の指示信号であると判定した場合は、その指示信号に応じた処理を実行する（Ｓ２０６）。なお、Ｓ２０４、Ｓ２０６、Ｓ２０８、Ｓ２０９の処理の実行後は、メイン処理を終了する。
【０１７１】
以上、本実施形態の遠隔会議システム１では、会議参加者は、各遠隔会議装置２１ａ〜２１ｄに会話可能言語を入力できる。各遠隔会議装置２１ａ〜２１ｄは、その入力された会話可能言語をＨＤＤ２１１に記憶する（図３４  Ｓ２０９）。そして、各遠隔会議装置２１ａ〜２１ｄは、ネットワーク４０に接続する際に、ＨＤＤ２１１に記憶されている会話可能言語を会議使用言語決定装置１０に送信する（図３４  Ｓ２０８）。そして、会議使用言語決定装置１０は、遠隔会議装置２１ａ〜２１ｄから送信されてきた会話可能言語の集まりを使用候補言語群として（図３３  Ｓ１１８）、その使用候補言語群の中に最も多く含まれている会話可能言語を遠隔会議での使用言語として決定する（図３３  Ｓ１１９）。したがって、各会議参加者は、会議使用言語決定装置１０によって決定された使用言語を使用すれば、多くの会議参加者が会議内容を把握できる。なお、会議使用言語決定装置１０は、最多数の言語が複数ある場合には、ＨＤＤ１０７の公用語テーブル記憶エリア１０７１に記憶されている公用語テーブルを参照して、その複数の言語のうち、最も公用度の高い言語を使用言語として決定する。このように、最多数の言語が複数ある場合であっても、使用言語を一つに絞ることができるので、遠隔会議をスムーズに進行できる。
【０１７２】
また、本実施形態では、第１〜第３実施形態のように、ユーザは遠隔会議の事前に人物情報及び会議情報を登録しておく必要がなく、会話可能言語を入力するだけで遠隔会議での使用言語が決定されるので、ユーザの手間が省くことができる。また、第４実施形態のように、地域別公用語の中から使用言語が決定されず、会議参加者が入力した会話可能言語の中から使用言語が決定されるので、会議参加者の所望する使用言語が決定されやすい。
【０１７３】
なお、本発明は、上記実施形態に限定されるわけではなく、その趣旨を逸脱しない範囲において種々変形してもよい。例えば、上記実施形態では、各遠隔会議装置２１ａ〜２１ｄは、使用言語特定情報から特定される使用言語を表示装置２０８のスクリーンに表示していたが、音声によって使用言語を通知してもよい。
【０１７４】
また、上記実施形態では、４つの遠隔会議装置２１ａ〜２１ｄをＭＣＵ３０に接続して、４拠点間での遠隔会議システム１について説明したが、本発明は、２拠点間での遠隔会議システムについても適用できる。この場合、ＭＣＵ３０は必要なくなる。
【０１７５】
また、上記第１〜第３実施形態では、会議使用言語決定装置１０が人物・会議情報登録処理を実行していたが、他のコンピュータ（例えば、パーソナルコンピュータ）が人物・会議情報登録処理を実行して、会議使用言語決定装置１０に人物情報及び会議情報を送信するようにしてもよい。例えば、パーソナルコンピュータで人物・会議情報登録処理を実行させれば、会議参加者はどの拠点にいても、人物情報及び会議情報を登録できる。
【０１７６】
また、上記実施形態では、会議使用言語決定装置１０が強制的に遠隔会議での使用言語を決定して、各拠点においてその使用言語を表示していた。しかし、遠隔会議の進行状況によっては、その使用言語以外の言語で遠隔会議を進行させたい場合もある。そこで、使用候補言語群の中からいずれかの言語を会議参加者が選択できるようにして、その選択された言語を各拠点において使用言語として表示するようにしてもよい。こうすることによって、例えば、会議使用言語決定装置１０で決定された使用言語が「英語」であって、通常時は「英語」で遠隔会議が進行される場合であっても、特定の間だけ他の言語で遠隔会議を進行させることができる。
【０１７７】
また、当初遠隔会議に参加していたが、特定の間だけ遠隔会議に参加しない会議参加者がいることもあり得る。そこで、遠隔会議時に、一端遠隔会議から抜ける会議参加者を特定する情報を会議使用言語決定装置１０に送信できるようにしてもよい。そして、会議使用言語決定装置１０は、その会議参加者の会話可能言語を使用候補言語群から除いて、再び使用言語を決定する。その会議参加者が再び遠隔会議に参加するときには、遠隔会議に参加する旨を示す情報を会議使用言語決定装置１０に送信できるようにする。その後、会議使用言語決定装置１０は当初の使用言語を各拠点にて表示させる。こうすることによって、当初は「英語」で遠隔会議が進行されていた場合であって、「英語」が会話可能な会議参加者が一端遠隔会議から抜けたときには、その間だけ他の言語で遠隔会議を進行させることができる。
【図面の簡単な説明】
【０１７８】
【図１】第１実施形態の遠隔会議システム１の概略を示したである。
【図２】会議使用言語決定装置１０の概略構成を示したブロック図である。
【図３】ＨＤＤ１０７の記憶エリアを示す概念図である。
【図４】公用語テーブルを示した概念図である。
【図５】遠隔会議装置２１ａ〜２１ｄの概略構成を示したブロック図である。
【図６】会議使用言語決定装置１０のＣＰＵ１０１が実行する人物・会議情報登録処理を示したフローチャートである。
【図７】第１実施形態における人物情報登録画面を示した図である。
【図８】第１実施形態における人物情報を示した概念図である。
【図９】第１実施形態における人物情報一覧画面を示した図である。
【図１０】会議情報登録画面を示した図である。
【図１１】会議情報を示した図である。
【図１２】会議情報一覧画面を示した図である。
【図１３】会議使用言語決定装置１０のＣＰＵ１０１が実行する会議時処理を示したフローチャートである。
【図１４】第１実施形態における使用言語決定処理を示したフローチャートである。
【図１５】遠隔会議装置２１ａ〜２１ｄのＣＰＵ２０１が実行するメイン処理を示したフローチャートである。
【図１６】会議開始直後の表示装置２０８のスクリーンを示した図である。
【図１７】会議途中の表示装置２０８のスクリーンを示した図である。
【図１８】第２実施形態における人物情報登録画面を示した図である。
【図１９】第２実施形態における人物情報を示した概念図である。
【図２０】第２実施形態における人物情報一覧画面を示した図である。
【図２１】第２実施形態における使用言語決定処理を示したフローチャートである。
【図２２】第３実施形態における人物情報登録画面を示した図である。
【図２３】第３実施形態における人物情報を示した概念図である。
【図２４】第３実施形態における人物情報一覧画面を示した図である。
【図２５】第３実施形態における会議参加者一覧画面を示した図である。
【図２６】第３実施形態における使用言語決定処理を示したフローチャートである。
【図２７】第４実施形態におけるＨＤＤ１０７の記憶エリアを示す概念図である。
【図２８】地域別公用語テーブルを示した概念図である。
【図２９】ＩＰアドレス地域別対応テーブルを示した概念図である。
【図３０】第４実施形態における会議使用言語決定装置１０のＣＰＵ１０１が実行する会議時処理を示したフローチャートである。
【図３１】第４実施形態における使用言語決定処理を示したフローチャートである。
【図３２】第４実施形態における遠隔会議装置２１ａ〜２１ｄのＣＰＵ２０１が実行するメイン処理を示したフローチャートである。
【図３３】第５実施形態における会議使用言語決定装置１０のＣＰＵ１０１が実行する会議時処理を示したフローチャートである。
【図３４】第５実施形態における遠隔会議装置２１ａ〜２１ｄのＣＰＵ２０１が実行するメイン処理を示したフローチャートである。
【符号の説明】
【０１７９】
１  遠隔会議システム
１０  会議使用言語決定装置
２１ａ〜２１ｄ  遠隔会議装置
４０  ネットワーク
１０１  ＣＰＵ（取得手段、決定手段、送信手段）
１０２  ＲＯＭ（情報記憶装置）
１０５  入力装置
１０７  ＨＤＤ
１０７１、１１６１  公用語テーブル記憶エリア
１０７２  人物情報記憶エリア
１０７３  会議情報記憶エリア
１１６２  地域別公用語テーブル記憶エリア
１１６３  ＩＰアドレス地域別対応テーブル記憶エリア
【図１】
2010056983.tif 000003
【図２】
2010056983.tif 000004
【図３】
2010056983.tif 000005
【図４】
2010056983.tif 000006
【図５】
2010056983.tif 000007
【図６】
2010056983.tif 000008
【図７】
2010056983.tif 000009
【図８】
2010056983.tif 000010
【図９】
2010056983.tif 000011
【図１０】
2010056983.tif 000012
【図１１】
2010056983.tif 000013
【図１２】
2010056983.tif 000014
【図１３】
2010056983.tif 000015
【図１４】
2010056983.tif 000016
【図１５】
2010056983.tif 000017
【図１６】
2010056983.tif 000018
【図１７】
2010056983.tif 000019
【図１８】
2010056983.tif 000020
【図１９】
2010056983.tif 000021
【図２０】
2010056983.tif 000022
【図２１】
2010056983.tif 000023
【図２２】
2010056983.tif 000024
【図２３】
2010056983.tif 000025
【図２４】
2010056983.tif 000026
【図２５】
2010056983.tif 000027
【図２６】
2010056983.tif 000028
【図２７】
2010056983.tif 000029
【図２８】
2010056983.tif 000030
【図２９】
2010056983.tif 000031
【図３０】
2010056983.tif 000032
【図３１】
2010056983.tif 000033
【図３２】
2010056983.tif 000034
【図３３】
2010056983.tif 000035
【図３４】
2010056983.tif 000036